(57)【特許請求の範囲】
【請求項１】
制御部と記憶部と表示部とを少なくとも備えたＢＩＭシステムであって、前記記憶部は、昇降機のＢＩＭパーツを作成するためのパーツ情報を記憶するパーツ情報記憶手段と、前記昇降機のカタログデータを記憶するカタログデータ記憶手段と、を備え、前記制御部は、前記カタログデータ記憶手段に記憶された前記カタログデータに基づいて、当該カタログデータに含まれる前記昇降機または当該昇降機を構成する部材を選択可能な選択画面であって、前記カタログデータに含まれる前記昇降機または当該昇降機を構成する部材に関する複数の異なる仕様のデザインパターンに対応付けて、各デザインパターンの仕様を特定する仕様情報が埋め込まれた選択オブジェクトを含む選択画面を生成する選択画面生成手段と、前記選択画面生成手段により生成された前記選択画面を前記表示部に表示させる選択画面表示手段と、前記選択画面表示手段により表示された前記選択画面を介して検出される、前記カタログデータに含まれる前記昇降機の選択オブジェクトまたは当該昇降機を構成する部材の選択オブジェクトを選択する利用者の選択操作に応じて、前記昇降機の作成条件を生成する作成条件生成手段と、前記作成条件生成手段により生成された前記作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを少なくとも含むレイアウト画面を生成するレイアウト画面生成手段と、前記レイアウト画面生成手段により生成された前記レイアウト画面を前記表示部に表示させるレイアウト画面表示手段と、を備えたことを特徴とするＢＩＭシステム。
【請求項２】
前記選択操作は、前記カタログデータに含まれる前記昇降機を指定する画像または文字、あるいは、当該昇降機を構成する部材を指定する画像または文字に対応するように構成された前記選択オブジェクトを選択する操作を含むことを特徴する請求項１に記載のＢＩＭシステム。
【請求項３】
前記作成条件生成手段は、
建築物のＢＩＭモデル内の前記昇降機の設置予定領域に設置可能なように、前記作成条件を生成することを特徴とすることを特徴とする請求項１または２に記載のＢＩＭシステム。
【請求項４】
前記制御部は、
前記昇降機モデリング手段により作成された前記ＢＩＭパーツに基づいて、当該ＢＩＭパーツに対応する前記昇降機の見積り情報を計算する見積り計算手段、
を更に備え、
前記レイアウト画面生成手段は、
前記見積り計算手段により計算された前記見積り情報を更に含む前記レイアウト画面を生成することを特徴とする請求項１から３のうちいずれか一項に記載のＢＩＭシステム。
【請求項５】
前記記憶部は、
前記建築物のＢＩＭモデルを記憶するＢＩＭモデル記憶手段、
を更に備え、
前記制御部は、
前記昇降機モデリング手段により作成された前記ＢＩＭパーツを、前記ＢＩＭモデル記憶手段に記憶された前記ＢＩＭモデル内の設置予定領域に設置した統合ＢＩＭモデルを作成する統合モデリング手段、
を更に備え、
前記レイアウト画面生成手段は、
前記統合モデリング手段により作成された前記統合ＢＩＭモデルを含む前記レイアウト画面を生成することを特徴する請求項１から４のうちいずれか一項に記載のＢＩＭシステム。
【請求項６】
前記記憶部は、
前記昇降機の交通計算およびエネルギー計算を実行する際に使用する所定の計算式を記憶する計算式記憶手段、
を更に備え、
前記利用者により入力される計算条件、前記昇降機モデリング手段により作成された前記ＢＩＭパーツ、および、前記ＢＩＭモデル記憶手段に記憶された前記ＢＩＭモデルに含まれる前記建築物に関する建物情報、に基づいて、前記計算式記憶手段に記憶された前記所定の計算式を用いて、前記昇降機の交通計算またはエネルギー計算を実行するシミュレーション手段、
を更に備えたことを特徴とする請求項５に記載のＢＩＭシステム。
【発明の詳細な説明】
【技術分野】
【０００１】
本発明の実施形態は、ＢＩＭシステムに関する。
【０００２】
従来、昇降機メーカの担当者は、昇降機を備える建築物を設計する客先に対して、平面図や断面図等の二次元図面およびカタログや納入実績等の写真を使用して、昇降機の設備計画を提案していた。そこで、近年、昇降機の設備計画を提案する際、昇降機を視覚的に分かりやすく表示する技術が求められている。
【先行技術文献】
【特許文献】
【０００３】
【特許文献１】特開２００６−５３６３４号公報
【特許文献２】特開２００５−２８４８３０号公報
【特許文献３】特開２００１−２０９７８４号公報
【特許文献４】特開２００３−７６８９３号公報
【発明の概要】
【発明が解決しようとする課題】
【０００４】
本発明が解決しようとする課題は、昇降機の設備計画を提案する際、昇降機を視覚的に分かりやすく表示することができるＢＩＭシステムを提供することである。
【課題を解決するための手段】
【０００５】
実施形態のＢＩＭシステムは、制御部と記憶部と表示部とを少なくとも備える。前記記憶部は、昇降機のＢＩＭパーツを作成するためのパーツ情報を記憶するパーツ情報記憶手段と、前記昇降機のカタログデータを記憶するカタログデータ記憶手段と、を備える。前記制御部は、前記カタログデータ記憶手段に記憶された前記カタログデータに基づいて、当該カタログデータに含まれる前記昇降機または当該昇降機を構成する部材を選択可能な選択画面であって、前記カタログデータに含まれる前記昇降機または当該昇降機を構成する部材に関する複数の異なる仕様のデザインパターンに対応付けて、各デザインパターンの仕様を特定する仕様情報が埋め込まれた選択オブジェクトを含む選択画面を生成する選択画面生成手段と、前記選択画面生成手段により生成された前記選択画面を前記表示部に表示させる選択画面表示手段と、前記選択画面表示手段により表示された前記選択画面を介して検出される、前記カタログデータに含まれる前記昇降機の選択オブジェクトまたは当該昇降機を構成する部材の選択オブジェクトを選択する利用者の選択操作に応じて、前記昇降機の作成条件を生成する作成条件生成手段と、前記作成条件生成手段により生成された前記作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを少なくとも含むレイアウト画面を生成するレイアウト画面生成手段と、前記レイアウト画面生成手段により生成された前記レイアウト画面を前記表示部に表示させるレイアウト画面表示手段と、を備える。
【図面の簡単な説明】
【０００６】
【図１】図１は、建築物の設計図書およびＢＩＭモデルの一例を示す概念図である。
【図２】図２は、第１の実施形態におけるＢＩＭシステムの構成の一例を示すブロック図である。
【図３】図３は、第１の実施形態におけるＢＩＭシステムの処理の一例を示すフローチャートである。
【図４】図４は、選択画面の一例を示す図である。
【図５】図５は、選択画面の一例を示す図である。
【図６】図６は、選択画面の一例を示す図である。
【図７】図７は、選択画面の一例を示す図である。
【図８】図８は、選択画面の一例を示す図である。
【図９】図９は、昇降機のＢＩＭパーツの一例を示す図である。
【図１０】図１０は、レイアウト画面の一例を示す図である。
【図１１】図１１は、第２の実施形態におけるＢＩＭシステムの構成の一例を示すブロック図である。
【図１２】図１２は、第２の実施形態におけるＢＩＭシステムの処理の一例を示すフローチャートである。
【図１３】図１３は、第３の実施形態におけるＢＩＭシステムの構成の一例を示すブロック図である。
【図１４】図１４は、第３の実施形態におけるＢＩＭシステムの処理の一例を示すフローチャートである。
【発明を実施するための形態】
【０００７】
以下に、実施形態にかかるＢＩＭシステム、サーバ装置、端末装置、方法およびプログラムの実施の形態を図面に基づいて詳細に説明する。なお、この実施の形態によりこの発明が限定されるものではない。
【０００８】
ここで、図１を参照して、実施形態において利用されるＢＩＭ（ビルディングインフォメーションモデリング）の概要について説明する。図１は、建築物の設計図書およびＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性および整合性を各々とる必要がある。つまり、建築物の設計図書による設計方法では、例えば関連する設計図書の修正が必要となり、また、その整合性のチェックも必要となる。一方、図１の右側に示すＢＩＭによる設計方法では、各業種にて建物全体データである建築物の３次元モデル（すなわち、建築物のＢＩＭモデル）を共有することができるので、１個のデータ上で関連性および整合性の確認を行うことができる。以下の実施形態では、このＢＩＭを使用した昇降機客先提案システムについて説明する。
【０００９】
以下、実施形態の構成および処理について、第１の実施形態（ＢＩＭシステム（機能分散型））、第２の実施形態（ＢＩＭシステム（サーバ主導型））、第３の実施形態（ＢＩＭシステム（スタンドアロン型））の順にて詳細に説明する。
【００１０】
［第１の実施形態］
最初に、第１の実施形態について、図２乃至図１０を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１１】
［第１の実施形態におけるＢＩＭシステムの構成］
まず、第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００１２】
図２に示すように、第１の実施形態のＢＩＭシステムは、概略的に、昇降機の３次元モデル（すなわち、昇降機のＢＩＭパーツ）等の情報を提供できるサーバ装置２００、および、単数または複数のＢＩＭアプリケーション等を搭載した端末装置１００、を通信可能に接続して構成される。ここで、図２に示すように、通信には、一例として、ネットワーク３００を介した有線・無線通信等の遠隔通信等を含む。また、これらＢＩＭシステムの各部は任意の通信路を介して通信可能に接続されている。
【００１３】
図２に示すように、第１の実施形態のＢＩＭシステムにおいて、サーバ装置２００は、概略的に、制御部２０２と記憶部２０６とを少なくとも備えており、端末装置１００は、出力部（表示部１１４および音声出力部１１６）と入力部１１８と制御部１０２と記憶部１０６とを少なくとも備える。
【００１４】
［サーバ装置２００の構成］
ここで、図２において、サーバ装置２００は、記憶部２０６に記憶された昇降機のカタログデータに基づいて後述する選択画面１０を生成し、生成された選択画面１０を端末装置１００へ送信する等の機能を有する。サーバ装置２００は、端末装置１００から送信される昇降機の作成条件に対応する昇降機のＢＩＭパーツを、記憶部２０６に記憶されたパーツ情報を用いて作成し、作成されたＢＩＭパーツを端末装置１００へ送信する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ、カタログデータファイル２０６ｂ等）を格納する。
【００１５】
これら記憶部２０６の各構成要素のうち、パーツ情報データベース２０６ａは、建築物のＢＩＭモデルに組込可能な昇降機のＢＩＭパーツを作成するためのパーツ情報を記憶するパーツ情報記憶手段である。本実施形態において、昇降機は、エレベータおよび乗客コンベアを含む概念であり、乗客コンベアは、エスカレータおよび動く歩道を含む。ここで、パーツ情報は、利用者が建築物のＢＩＭモデルに組み込む昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース（設置予定領域）、寸法、各種付属設備に関する情報、昇降機を構成する必要部材の部材強度、価格、寸法、質量、色、素材、固有振動数といった情報の他、納期、在庫状況、据付時間、仕上げ材、耐用年数、メーカ情報、品番型番などが挙げられるが、上記に限定されない。
【００１６】
より具体的には、本実施形態において、パーツ情報は、例えば、後述の制御部１０２の処理によりＢＩＭパーツをＢＩＭモデルに組み込む際等に用いられるＢＩＭパーツのサイズ情報を含む。ここで、ＢＩＭパーツのサイズ情報は、ＢＩＭパーツを構成する各ユニット、構成部品のサイズ情報も含む。また、パーツ情報は、ＢＩＭパーツの動作を解析する際に用いられるＢＩＭパーツの動作パラメータを含む。動作パラメータは、昇降機の交通計算またはエネルギー計算（例えば、消費電力計算）等を実行する際に参照される、昇降機の動作速度、動作パターン、積載荷重、モーターや蛍光灯や制御盤等のワット数等を規定するパラメータである。ＢＩＭパーツを構成する各ユニットとしては、例えば、本実施形態のように昇降機がエレベータである場合には、昇降路、乗りかご、カウンタウェイト、メインロープ、巻上機、ガイドレール、乗り場ホール関連品、機械室、制御盤、電源設備、各種配線配管等が挙げられる。また、ＢＩＭパーツを構成する各ユニットとしては、例えば、昇降機がエスカレータである場合には、トラス、踏段、踏段チェーン、移動手摺、乗降板、欄干、駆動装置、機械室、制御盤、電源設備、各種配線配管等が挙げられる。また、パーツ情報は、例えば、後述の制御部１０２の処理よりＢＩＭパーツを変更する際に用いられる設定パラメータを含む。ここで、設定パラメータは、ＢＩＭパーツを構成する各ユニットのサイズ、色、材質、上記各種配線配管等を規定するパラメータを含む。なお、ＢＩＭパーツは、典型的なＢＩＭモデルと同様に、このＢＩＭパーツ自体に対象の昇降機に関連するパーツ情報等の属性情報を含んでいる。
【００１７】
また、カタログデータファイル２０６ｂは、昇降機のカタログデータを記憶するカタログデータ記憶手段である。昇降機のカタログデータは、昇降機のカタログおよび設計施工資料に基づく電子データである。このカタログデータには、昇降機のカタログおよび設計施工資料に記載された、昇降機を指定する画像または文字、あるいは、当該昇降機を構成する部材を指定する画像または文字が、対応する仕様情報に対応付けられて記憶されている。カタログデータファイル２０６ｂに記憶されたカタログデータは、最新のカタログデータを配信するデータサーバ等の外部装置と通信することで情報が更新される。
【００１８】
この他、記憶部２０６は、建築物および昇降機に関する設計基準を定めた異なる体系の法規情報を地域別に記憶する法規情報記憶手段を備えていてもよい。本実施形態において、地域は、国や行政区分を含む。国の一例としては、例えば、日本、中国、ＵＡＥ、シンガポール、香港、インド、インドネシア、台湾、韓国、タイ、フランス、ドイツ、ＥＵ等が挙げられるが、これに限定されない。行政区分の一例としては、例えば、日本の場合、都道府県、市町村、特別区等を含む。また、中国の場合、省、自治区、直轄市、特別行政区、県、省轄市等を含む。法規情報記憶手段は、これらの地域に対応付けて各地域の法規情報を記憶する。ここで、設計基準の一例としては、例えば、日本の場合、建築基準法である。また、中国の場合、規格である。本実施形態において、設計基準は、年度別に整理されて記憶される。設計基準は、後述する制御部１０２の処理により根拠条文として示される場合があるため、原文の他、対応する翻訳文も含む。なお、法規情報記憶手段に記憶される法規情報は、制御部１０２により、定期的に外部の法令データベースサーバ装置等から最新の法規情報が取得されて更新される。
【００１９】
図２において、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、選択画面生成部２０２ａ、選択画面送信部２０２ｂ、条件受信部２０２ｃ、昇降機モデリング部２０２ｄ、情報提供部２０２ｅ、および、見積り計算部２０２ｆを備える。
【００２０】
このうち、選択画面生成部２０２ａは、カタログデータファイル２０６ｂに記憶されたカタログデータに基づいて、当該カタログデータに含まれる昇降機または当該昇降機を構成する部材を選択可能な選択画面１０を生成する選択画面生成手段である。
【００２１】
また、選択画面送信部２０２ｂは、選択画面生成部２０２ａにより生成された選択画面１０を端末装置１００へ送信する選択画面送信手段である。
【００２２】
また、条件受信部２０２ｃは、端末装置１００から送信される作成条件を受信する条件受信手段である。ここで、作成条件は、利用者が所望する昇降機の仕様を示す条件である。つまり、作成条件は、建築物のＢＩＭモデル内に設置される昇降機のＢＩＭパーツを作成するための条件を指定する。作成条件にはこの他、希望の価格、納期等を含んでもよい。本実施形態において、作成条件は、端末装置１００において、選択画面１０を介して検出される、カタログデータに含まれる昇降機の画像または当該昇降機を構成する部材の画像を選択する利用者の選択操作に応じて生成された条件を含む。この他、作成条件は、選択操作に応じて生成された条件以外に、利用者により端末装置１００において入力部１１８を介して入力されたものであってもよいし、予め作成条件が記憶された外部記憶装置（図示せず）から読み込まれたものであってもよい。
【００２３】
また、昇降機モデリング部２０２ｄは、条件受信部２０２ｃにより受信された作成条件に対応する昇降機のＢＩＭパーツを、パーツ情報データベース２０６ａに記憶されたパーツ情報を用いて作成する昇降機モデリング手段である。ここで、昇降機モデリング部２０２ｄは、作成条件に合致する範囲内でＢＩＭパーツを複数作成してもよい。また、昇降機モデリング部２０２ｄは、作成した昇降機のＢＩＭパーツを記憶部２０６に格納して、ＢＩＭパーツデータベース（図示せず）を構築してもよい。
【００２４】
また、情報提供部２０２ｅは、昇降機モデリング部２０２ｄにより作成された昇降機のＢＩＭパーツ等を含むサーバ装置２００の計算結果を端末装置１００へ送信する情報提供手段である。ここで、情報提供部２０２ｅは、複数のＢＩＭパーツを含む計算結果を端末装置１００へ送信してもよい。また、情報提供部２０２ｅは、見積り計算部２０２ｆにより計算された昇降機の見積り情報を含む計算結果を端末装置１００へ送信してもよい。
【００２５】
また、見積り計算部２０２ｆは、昇降機モデリング部２０２ｄにより作成されたＢＩＭパーツに含まれるパーツ情報（例えば、昇降機を構成する部材の価格を示す情報）に基づいて、当該ＢＩＭパーツに対応する昇降機の見積り情報を計算する見積り計算手段である。
【００２６】
［端末装置１００の構成］
また、図２において、端末装置１００は、サーバ装置２００から送信される選択画面１０を表示部１１４に表示させ、表示された選択画面１０を介して検出される選択操作に応じて、昇降機の作成条件を生成し、生成された作成条件をサーバ装置２００へ送信する等の機能を有する。また、端末装置１００は、サーバ装置２００から送信される作成条件に対応するＢＩＭパーツを受信し、受信されたＢＩＭパーツを少なくとも含むレイアウト画面を生成し、生成されたレイアウト画面を表示部１１４に表示させる等の機能を有する。端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置等である。ここで、端末装置１００は、インターネットブラウザ等を搭載していてもよく、ＢＩＭアプリケーション等を搭載していてもよい。
【００２７】
また、端末装置１００は、表示部１１４と音声出力部１１６とを少なくとも含む出力部を備える。また、端末装置１００は、データ入力等を行う入力部１１８を備える。
【００２８】
ここで、表示部１１４は、アプリケーション等の表示画面を表示する表示手段（例えば、液晶または有機ＥＬ等から構成されるディスプレイ、モニタ、および、タッチパネル等）であってもよい。また、音声出力部１１６は、音声情報を音声として出力する音声出力手段（例えば、スピーカ等）であってもよい。また、入力部１１８は、例えば、キー入力部、タッチパネル、コントロールパッド（例えば、タッチパッド、および、ゲームパッド等）、マウス、キーボード、および、マイク等であってもよい。また、入出力制御インターフェース部１０８は、表示部１１４、音声出力部１１６、および、入力部１１８等の制御を行う。
【００２９】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００およびサーバ装置２００と、外部機器または外部システムとを相互に接続する機能を有し、例えば、インターネット、電話回線網（携帯端末回線網および一般電話回線網等）、イントラネット、または、電力線通信（ＰＬＣ）等であってもよい。
【００３０】
また、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（ＢＩＭモデルデータベース１０６ａ、計算式ファイル１０６ｂ等）を格納してもよい。ここで、記憶部１０６は、各種のファイル等を一時的に記憶するものであってもよい。
【００３１】
このうち、ＢＩＭモデルデータベース１０６ａは、建築物のＢＩＭモデルを記憶するＢＩＭモデル記憶手段である。本実施形態において、ＢＩＭモデルデータベース１０６ａには、予め設計者により設計された建築物のＢＩＭモデルが格納されている。ＢＩＭモデルには、例えば、建物形状、空間関係、地理情報、建物部材の数量や特性、部材強度、固有振動数、耐用年数等の構造情報が含まれるが、これらに限定されない。なお、ＢＩＭモデルは、このＢＩＭモデル自体に対象の建築物に関する建物情報等の属性情報を含んでいる。例えば、建物情報は、建物用途、建物規模、階床数、階床名、階高、各階の使用用途、フロア人員、占有面積等から算出可能な昇降機の利用人数などの情報を含むが、これらに限定されない。更に、建物情報は、対象の建築物を構成する各構造ユニットに関する寸法、位置等を示す構造情報を含んでいてもよい。ここで、ＢＩＭモデルを構成する各構造ユニットとしては、例えば、建築物に配置される部屋、壁、通路、非常階段、避難経路、ガス管、水道管、火災報知機、スプリンクラー、梁等が挙げられる。
【００３２】
また、計算式ファイル１０６ｂは、昇降機の交通計算および消費電力計算を実行する際に使用する所定の計算式を記憶する計算式記憶手段である。本実施形態において、計算式ファイル１０６ｂは、昇降機に関する交通計算および消費電力計算に必要な計算式を記憶する。この他、計算式ファイル１０６ｂは、交通計算および消費電力計算のシミュレーション計算に必要な各種閾値、パラメータ、および、サンプルデータ等を記憶してもよい。
【００３３】
また、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、選択画面受信部１０２ａ、選択画面表示部１０２ｂ、作成条件生成部１０２ｃ、条件送信部１０２ｄ、情報取得部１０２ｅ、統合モデリング部１０２ｆ、レイアウト画面生成部１０２ｇ、レイアウト画面表示部１０２ｈ、変更部１０２ｉ、および、シミュレーション部１０２ｊを備える。
【００３４】
このうち、選択画面受信部１０２ａは、サーバ装置２００から送信される選択画面１０を受信する選択画面受信手段である。
【００３５】
また、選択画面表示部１０２ｂは、選択画面受信部１０２ａにより受信された選択画面１０を表示部１１４に表示させる選択画面表示手段である。
【００３６】
また、作成条件生成部１０２ｃは、選択画面表示部１０２ｂにより表示された選択画面１０を介して検出される、カタログデータに含まれる昇降機の画像または当該昇降機を構成する部材の画像を選択する利用者の選択操作に応じて、昇降機の作成条件を生成する作成条件生成手段である。本実施形態において、選択操作は、カタログデータに含まれる昇降機を指定する文字または当該昇降機を構成する部材を指定する文字を選択する操作を含む。なお、本実施形態において、作成条件生成部１０２ｃは、建築物のＢＩＭモデル内の昇降機の設置予定領域に設置可能なように、作成条件を生成するものとする。
【００３７】
また、条件送信部１０２ｄは、作成条件生成部１０２ｃにより生成された昇降機の作成条件をサーバ装置２００へ送信する。上述のように作成条件には希望の価格、納期等を含めてもよい。つまり、作成条件は、建築物のＢＩＭモデルに組込可能な昇降機のＢＩＭパーツを作成するための条件を指定する。また、作成条件は、選択操作に基づいて生成された条件以外に、利用者により入力部１１８を介して入力されたものであってもよいし、予め作成条件が記憶された外部記憶装置（図示せず）から読み込まれたものであってもよい。
【００３８】
また、情報取得部１０２ｅは、サーバ装置２００から送信される作成条件に対応するＢＩＭパーツを含む計算結果を受信する情報取得手段である。ここで、情報取得部１０２ｅは、複数のＢＩＭパーツを含む計算結果をサーバ装置２００から受信してもよい。また、情報取得部１０２ｅは、サーバ装置２００において計算された昇降機の見積り情報を含む計算結果をサーバ装置２００から受信してもよい。
【００３９】
また、統合モデリング部１０２ｆは、情報取得部１０２ｅにより受信されたＢＩＭパーツを、ＢＩＭモデルデータベース１０６ａに記憶されたＢＩＭモデル内の設置予定領域に設置した統合ＢＩＭモデルを作成する統合モデリング手段である。ここで、統合モデリング部１０２ｆは、作成した統合ＢＩＭモデルを記憶部１０６に格納して、統合ＢＩＭモデルデータベース（図示せず）を構築してもよい。
【００４０】
また、レイアウト画面生成部１０２ｇは、情報取得部１０２ｅにより受信されたＢＩＭパーツを少なくとも含むレイアウト画面を生成するレイアウト画面生成手段である。ここで、レイアウト画面生成部１０２ｇは、統合モデリング部１０２ｆにより作成された統合ＢＩＭモデルを含むレイアウト画面を生成してもよい。また、レイアウト画面生成部１０２ｇは、情報取得部１０２ｅにより受信されたＢＩＭパーツに対応する昇降機の見積り情報を更に含むレイアウト画面を生成してもよい。
【００４１】
また、レイアウト画面表示部１０２ｈは、レイアウト画面生成部１０２ｇにより生成されたレイアウト画面を表示部１１４に表示させるレイアウト画面表示手段である。
【００４２】
また、変更部１０２ｉは、利用者により入力される選択操作に基づいた変更条件に応じてＢＩＭパーツに含まれるパーツ情報の設定パラメータを変更することで、当該ＢＩＭパーツを変更する変更手段である。設定パラメータは、ＢＩＭパーツを構成する各ユニットのサイズ、色、材質等を規定するパラメータを含む。
【００４３】
また、シミュレーション部１０２ｊは、利用者により入力される計算条件、情報取得部１０２ｅにより受信されたＢＩＭパーツ、および、ＢＩＭモデルデータベース１０６ａに記憶されたＢＩＭモデルに含まれる建築物に関する建物情報、に基づいて、計算式ファイル１０６ｂに記憶された所定の計算式を用いて、昇降機の交通計算および消費電力計算のうち少なくとも一つを実行するシミュレーション手段である。例えば、シミュレーション部１０２ｊは、情報取得部１０２ｅにより受信されたＢＩＭパーツのパーツ情報に含まれる動作パラメータを、ＢＩＭモデルデータベース１０６ａに記憶されたＢＩＭモデルに含まれる建築物に関する建物情報を制約条件として参照しつつ、利用者により入力される計算条件に基づいて設定することで、昇降機の交通計算および消費電力計算のうち少なくとも一つを実行する。
【００４４】
以上で、第１の実施形態におけるＢＩＭシステムの構成の一例の説明を終える。
【００４５】
［第１の実施形態におけるＢＩＭシステムの処理］
次に、このように構成された第１の実施形態におけるＢＩＭシステムの処理の一例について、以下に図３乃至図１０を参照して詳細に説明する。図３は、第１の実施形態におけるＢＩＭシステムの処理の一例を示すフローチャートである。
【００４６】
図３に示すように、サーバ装置２００の選択画面生成部２０２ａは、カタログデータファイル２０６ｂに記憶されたカタログデータに基づいて、当該カタログデータに含まれる昇降機または当該昇降機を構成する部材を選択可能な選択画面１０を生成する（ステップＳＡ−１）。本実施形態において、選択画面１０を生成する契機は、例えば、利用者が入力部１１８を介して選択画面１０を呼び出す指示操作を行った場合にサーバ装置２００へ送信される指示信号を受信したタイミングである。この他、端末装置１００側でＢＩＭアプリケーションを実行したタイミングであってもよいし、カタログデータファイル２０６ｂに記憶されるカタログデータが更新されたタイミングであってもよい。
【００４７】
そして、サーバ装置２００の選択画面送信部２０２ｂは、ステップＳＡ−１にて選択画面生成部２０２ａの処理により生成された選択画面１０を端末装置１００へ送信する（ステップＳＡ−２）。
【００４８】
そして、端末装置１００の選択画面受信部１０２ａは、ステップＳＡ−２にて選択画面送信部の処理によりサーバ装置２００から送信される選択画面１０を受信する（ステップＳＡ−３）。
【００４９】
そして、端末装置１００の選択画面表示部１０２ｂは、ステップＳＡ−３にて選択画面受信部１０２ａの処理より受信された選択画面１０を表示部１１４に表示させる（ステップＳＡ−４）。
【００５０】
ここで、図４〜図８を参照して、ステップＳＡ−４において、選択画面表示部１０２ｂの処理により表示部１１４に表示される、昇降機のカタログを模した選択画面１０の一例について、説明する。図４〜図８は、選択画面１０の一例を示す図である。
【００５１】
図４および図５は、昇降機のカタログに記載されたデザインパターンの一例を示すページを模した選択画面１０を表している。例えば、図４には、昇降機が設置される建築物がマンションである場合を想定したデザインパターン１（Ｄｅｓｉｇｎ１）が示されており、図５には、デザインパターン２（Ｄｅｓｉｇｎ２）およびデザインパターン３（Ｄｅｓｉｇｎ３）が示されている。各デザインパターン１〜３は、それぞれ異なる仕様となっており、当該仕様を特定する仕様情報が埋め込まれた選択オブジェクト２０が、各デザインパターン１〜３に対応付けて選択画面１０に表示されている。本実施形態において、選択画面１０内の選択オブジェクト２０は、カタログデータに含まれる昇降機を指定する画像または文字、あるいは、当該昇降機を構成する部材を指定する画像または文字に対応するように構成されている。
【００５２】
例えば、図４のデザインパターン１を例に説明すると、図４の選択画面１０−１に表示された選択オブジェクト２０−１〜２は、カタログデータに含まれる昇降機を指定する画像に対応するように構成されている。例えば、選択オブジェクト２０−１は、デザインパターン１の昇降機の内部を一方から見た場合の画像に対応するオブジェクトである。また、選択オブジェクト２０−２は、デザインパターン１の昇降機の内部を他方から見た場合の画像に対応するオブジェクトである。この選択オブジェクト２０−１〜２には、デザインパターン１の仕様を特定する仕様情報（図４において、デザインパターン１の昇降機を指定する昇降機指定仕様情報）が埋め込まれている。デザインパターン１の昇降機を指定する仕様情報には、図４の型番「ＧＣ−５０１」の仕様が含まれている。この仕様は、デザインパターン１に対応する昇降機を構成する部材として、天井「特殊樹脂コーティングガラスクロス照明」、側板「鋼板製化粧シート貼り仕上」、かごドア「ステンレス製バイブレーション仕上」、幕板「ステンレス製バイブレーション仕上」、操作盤／副操作盤「ステンレス製バイブレーション仕上リターンパネル一体式」、インジケータ「液晶インジケータ」、ボタン「クリックタッチボタン」、幅木「ステンレス製ヘアライン仕上」、床「石貼り（建築工事）」、しきい「ステンレス製」、手すり「木製手すり（三方向）」、鏡「フルハイトミラー」を含む。
【００５３】
また、図４において、図４の選択画面１０−１に表示された選択オブジェクト２０−３〜４は、カタログデータに含まれる昇降機を指定する文字に対応するように構成されている。例えば、選択オブジェクト２０−３は、デザインパターン１を示す「Ｄｅｓｉｇｎ１」の文字に対応するオブジェクトである。また、選択オブジェクト２０−４は、デザインパターン１の型番を示す「ＧＣ−５０１」の文字に対応するオブジェクトである。この選択オブジェクト２０−３〜４には、選択オブジェクト２０−１〜２と同様に、デザインパターン１の仕様を特定する仕様情報が埋め込まれている。デザインパターン１の昇降機を指定する仕様情報には、図４の型番「ＧＣ−５０１」の仕様が含まれており、この仕様は、上述と同様であるため説明を省略する。
【００５４】
更に、図４において、図４の選択画面１０−１に表示された選択オブジェクト２０−４ａ〜４ｍは、カタログデータに含まれる昇降機を構成する部材を指定する文字に対応するように構成されている。例えば、選択オブジェクト２０−４ａは、デザインパターン１の型番「ＧＣ−５０１」の仕様のうち、天井に関する仕様を示す「天井  特殊樹脂コーティングガラスクロス照明」の文字に対応するオブジェクトである。この選択オブジェクト２０−４ａには、天井を「特殊樹脂コーティングガラスクロス照明」に指定する仕様情報が埋め込まれている。また、選択オブジェクト２０−４ｂは、デザインパターン１の型番「ＧＣ−５０１」の仕様のうち、側板に関する仕様を示す「側板  鋼板製化粧シート貼り仕上」の文字に対応するオブジェクトである。この選択オブジェクト２０−４ｂには、側板を「鋼板製化粧シート貼り仕上」に指定する仕様情報が埋め込まれている。また、選択オブジェクト２０−４ｃは、デザインパターン１の型番「ＧＣ−５０１」の仕様のうち、かごドアに関する仕様を示す「かごドア  ステンレス製バイブレーション仕上」の文字に対応するオブジェクトである。この選択オブジェクト２０−４ｃには、かごドアを「ステンレス製バイブレーション仕上」に指定する仕様情報が埋め込まれている。
【００５５】
また、選択オブジェクト２０−４ｄは、デザインパターン１の型番「ＧＣ−５０１」の仕様のうち、幕板に関する仕様を示す「幕板  ステンレス製バイブレーション仕上」の文字に対応するオブジェクトである。この選択オブジェクト２０−４ｄには、幕板を「ステンレス製バイブレーション仕上」に指定する仕様情報が埋め込まれている。また、選択オブジェクト２０−４ｅは、デザインパターン１の型番「ＧＣ−５０１」の仕様のうち、操作盤／副操作盤に関する仕様を示す「操作盤／副操作盤  ステンレス製バイブレーション仕上リターンパネル一体式」の文字に対応するオブジェクトである。この選択オブジェクト２０−４ｅには、操作盤／副操作盤を「ステンレス製バイブレーション仕上リターンパネル一体式」に指定する仕様情報が埋め込まれている。また、選択オブジェクト２０−４ｆは、デザインパターン１の型番「ＧＣ−５０１」の仕様のうち、インジケータに関する仕様を示す「インジケータ  液晶インジケータ」の文字に対応するオブジェクトである。この選択オブジェクト２０−４ｆには、インジケータを「液晶インジケータ」に指定する仕様情報が埋め込まれている。また、選択オブジェクト２０−４ｇは、デザインパターン１の型番「ＧＣ−５０１」の仕様のうち、ボタンに関する仕様を示す「ボタン  クリックタッチボタン」の文字に対応するオブジェクトである。この選択オブジェクト２０−４ｇには、ボタンを「クリックタッチボタン」に指定する仕様情報が埋め込まれている。
【００５６】
また、選択オブジェクト２０−４ｈは、デザインパターン１の型番「ＧＣ−５０１」の仕様のうち、幅木に関する仕様を示す「幅木  ステンレス製ヘアライン仕上」の文字に対応するオブジェクトである。この選択オブジェクト２０−４ｈには、幅木を「ステンレス製ヘアライン仕上」に指定する仕様情報が埋め込まれている。また、選択オブジェクト２０−４ｉは、デザインパターン１の型番「ＧＣ−５０１」の仕様のうち、床に関する仕様を示す「床  石貼り（建築工事）」の文字に対応するオブジェクトである。この選択オブジェクト２０−４ｉには、床を「石貼り（建築工事）」に指定する仕様情報が埋め込まれている。また、選択オブジェクト２０−４ｊは、デザインパターン１の型番「ＧＣ−５０１」の仕様のうち、しきいに関する仕様を示す「しきい  ステンレス製」の文字に対応するオブジェクトである。この選択オブジェクト２０−４ｊには、しきいを「ステンレス製」に指定する仕様情報が埋め込まれている。また、選択オブジェクト２０−４ｋは、デザインパターン１の型番「ＧＣ−５０１」の仕様のうち、手すりに関する仕様を示す「手すり  木製手すり（三方向）」の文字に対応するオブジェクトである。この選択オブジェクト２０−４ｋには、手すりを「木製手すり（三方向）」に指定する仕様情報が埋め込まれている。また、選択オブジェクト２０−４ｍは、デザインパターン１の型番「ＧＣ−５０１」の仕様のうち、鏡に関する仕様を示す「鏡  フルハイトミラー」の文字に対応するオブジェクトである。この選択オブジェクト２０−４ｍには、鏡を「フルハイトミラー」に指定する仕様情報が埋め込まれている。
【００５７】
また、図５の選択画面１０−２に表示された選択オブジェクト２０−５〜６は、カタログデータに含まれる昇降機を指定する画像に対応するように構成されている。例えば、選択オブジェクト２０−５は、デザインパターン２の昇降機の内部を一方から見た場合の画像に対応するオブジェクトである。また、選択オブジェクト２０−６は、デザインパターン２の昇降機の内部を他方から見た場合の画像に対応する。この選択オブジェクト２０−５〜６には、デザインパターン２の仕様を特定する仕様情報（図５において、デザインパターン２の昇降機を指定する昇降機指定仕様情報）が埋め込まれている。デザインパターン２の昇降機を指定する仕様情報には、図５の型番「ＫＡ−３０１」の仕様が含まれている。図５の型番「ＫＡ−３０１」の仕様の詳細については、図４のデザインパターン１（型番「ＧＣ−５０１」）と仕様の項目が一部異なる点以外は同様であるため、説明を省略する。
【００５８】
また、図５において、図５の選択画面１０−２に表示された選択オブジェクト２０−７〜８は、カタログデータに含まれる昇降機を指定する文字に対応するように構成されている。例えば、選択オブジェクト２０−７は、デザインパターン２を示す「Ｄｅｓｉｇｎ２」の文字に対応するオブジェクトである。また、選択オブジェクト２０−８は、デザインパターン２の型番を示す「ＫＡ−３０１」の文字に対応するオブジェクトである。この選択オブジェクト２０−７〜８には、選択オブジェクト２０−５〜６と同様に、デザインパターン２の仕様を特定する仕様情報が埋め込まれている。デザインパターン２の昇降機を指定する仕様情報には、図５の型番「ＫＡ−３０１」の仕様が含まれている。
【００５９】
更に、図５において、図５の選択画面１０−２に表示された選択オブジェクト２０−８ａ〜８ｑは、カタログデータに含まれる昇降機を構成する部材を指定する文字に対応するように構成されている。この選択オブジェクト２０−８ａ〜８ｑには、デザインパターン２の昇降機を構成する部材（図５において、天井、側板、かごドア、幕板、リターンパネル、出入口柱、操作盤、インジケータ、ボタン、車いす専用操作盤、幅木、床、しきい、手すり、鏡）を特定する仕様情報が、それぞれ埋め込まれている。この選択オブジェクト２０−８ａ〜８ｑの各オブジェクトの詳細については、図４の選択オブジェクト２０−４ａ〜４ｍと、各部材の仕様が一部異なる点以外は同様であるため、説明を省略する。
【００６０】
また、図５の選択画面１０−２に表示された選択オブジェクト２０−９〜１０は、カタログデータに含まれる昇降機を指定する画像に対応するように構成されている。例えば、選択オブジェクト２０−９は、デザインパターン３の昇降機の内部を一方から見た場合の画像に対応するオブジェクトである。また、選択オブジェクト２０−１０は、デザインパターン３の昇降機の内部を他方から見た場合の画像に対応する。この選択オブジェクト２０−９〜１０には、デザインパターン３の仕様を特定する仕様情報（図５において、デザインパターン３の昇降機を指定する昇降機指定仕様情報）が埋め込まれている。デザインパターン３の昇降機を指定する仕様情報には、図５の型番「ＬＤ−３０４」の仕様が含まれている。図５の型番「ＬＤ−３０４」の仕様の詳細については、図４のデザインパターン１（型番「ＧＣ−５０１」）と仕様の項目が一部異なる点以外は同様であるため、説明を省略する。
【００６１】
また、図５において、図５の選択画面１０−２に表示された選択オブジェクト２０−１１〜１２は、カタログデータに含まれる昇降機を指定する文字に対応するように構成されている。例えば、選択オブジェクト２０−１１は、デザインパターン３を示す「Ｄｅｓｉｇｎ３」の文字に対応するオブジェクトである。また、選択オブジェクト２０−１２は、デザインパターン３の型番を示す「ＬＤ−３０４」の文字に対応するオブジェクトである。この選択オブジェクト２０−１１〜１２には、選択オブジェクト２０−９〜１０と同様に、デザインパターン３の仕様を特定する仕様情報が埋め込まれている。デザインパターン３の昇降機を指定する仕様情報には、図５の型番「ＬＤ−３０４」の仕様が含まれている。
【００６２】
更に、図５において、図５の選択画面１０−２に表示された選択オブジェクト２０−１２ａ〜１２ｍは、カタログデータに含まれる昇降機を構成する部材を指定する文字に対応するように構成されている。この選択オブジェクト２０−１２ａ〜１２ｍには、デザインパターン３の昇降機を構成する部材（図５において、天井、側板、かごドア、幕板、出入口柱、操作盤、インジケータ、ボタン、幅木、床、しきい、手すり）を特定する仕様情報）が、それぞれ埋め込まれている。この選択オブジェクト２０−１２ａ〜１２ｍの各オブジェクトの詳細については、図４の選択オブジェクト２０−４ａ〜４ｍと、各部材の仕様が一部異なる点以外は同様であるため、説明を省略する。
【００６３】
図６〜図８は、昇降機のカタログに記載された、昇降機を構成する部材の一例を示すページを模した選択画面１０を表している。図６には、ステンレス製ヘアライン仕上かご操作盤のバリエーションが示されている。図７には、かご室側板・かごドア・幕板（非塩ビ系化粧鋼板）のカラーバリエーション、および、かご室天井（非塩ビ系化粧鋼板）のバリエーションが示されている。図８には、住宅用乗り場デザインのバリエーションが示されている。
【００６４】
図６の選択画面１０−３に表示された選択オブジェクト２０−１３〜１６は、カタログデータに含まれる昇降機を構成する部材の組合せを指定する画像に対応するように構成されている。選択オブジェクト２０−１３〜１６には、ステンレス製ヘアライン仕上かご操作盤のバリエーションの４パターンをそれぞれ特定する仕様情報（図６において、昇降機を構成するかご操作盤のフェースプレート、インジケータ、ボタンの組合せを指定する部材指定仕様情報）が埋め込まれている。例えば、選択オブジェクト２０−１３を例に説明すると、選択オブジェクト２０−１３は、ステンレス製ヘアライン仕上かご操作盤のバリエーションの一例を正面からみた場合の画像に対応するオブジェクトである。選択オブジェクト２０−１３には、フェースプレート「ステンレス製ヘアライン仕上」、インジケータ「デジタル階床表示（アンバー）」、ボタン「凸文字ボタン（抗菌ボタン）」を指定する仕様情報が埋め込まれている。選択オブジェクト２０−１４〜１６にそれぞれ埋め込まれている仕様情報の詳細については、選択オブジェクト２０−１３が指定するインジケータ、ボタンの組合せと異なる点以外は同様であるため、説明を省略する。
【００６５】
また、図６において、選択画面１０−３には、選択オブジェクト２０−１３が指定する仕様情報に含まれる各項目（図６において、フェースプレート、インジケータ、ボタン）をそれぞれ選択可能なように構成された、選択オブジェクト２０−１３ａ〜１３ｃが表示されている。選択オブジェクト２０−１３ａ〜１３ｃは、カタログデータに含まれる昇降機を構成する部材を指定する文字に対応するように構成されている。例えば、選択オブジェクト２０−１３ａは、選択オブジェクト２０−１３が指定するステンレス製ヘアライン仕上かご操作盤のバリエーションの仕様のうち、フェースプレートに関する仕様を示す「フェースプレート  ステンレス製ヘアライン仕上  有償付加仕様」の文字に対応するオブジェクトである。この選択オブジェクト２０−１３ａには、フェースプレートを「ステンレス製ヘアライン仕上」に指定する仕様情報が埋め込まれている。また、選択オブジェクト２０−１３ｂは、選択オブジェクト２０−１３が指定するステンレス製ヘアライン仕上かご操作盤のバリエーションの仕様のうち、インジケータに関する仕様を示す「インジケータ  デジタル階床表示（アンバー）」の文字に対応するオブジェクトである。この選択オブジェクト２０−１３ｂには、インジケータを「デジタル階床表示（アンバー）」に指定する仕様情報が埋め込まれている。また、選択オブジェクト２０−１３ｃは、選択オブジェクト２０−１３が指定するステンレス製ヘアライン仕上かご操作盤のバリエーションの仕様のうち、ボタンに関する仕様を示す「ボタン  凸文字ボタン（抗菌ボタン）」の文字に対応するオブジェクトである。この選択オブジェクト２０−１３ｃには、ボタンを「凸文字ボタン（抗菌ボタン）」に指定する仕様情報が埋め込まれている。
【００６６】
更に、図６において、選択画面１０−３には、選択オブジェクト２０−１４〜１６がそれぞれ指定する仕様情報に含まれる各項目（図６において、フェースプレート、インジケータ、ボタン）をそれぞれ選択可能なように構成された、選択オブジェクト２０−１４ａ〜１４ｃ，２０−１５ａ〜１５ｃ，２０−１６ａ〜１６ｃが表示されている。これらの選択オブジェクト２０−１４ａ〜１４ｃ，２０−１５ａ〜１５ｃ，２０−１６ａ〜１６ｃは、上述の選択オブジェクト２０−１３ａ〜１３ｃと同様に、カタログデータに含まれる昇降機を構成する部材を指定する文字に対応するように構成されている。これらの選択オブジェクト２０−１４ａ〜１４ｃ，２０−１５ａ〜１５ｃ，２０−１６ａ〜１６ｃの詳細について、上述の選択オブジェクト２０−１３ａ〜１３ｃと、各部材の仕様が一部異なる点以外は同様であるため、説明を省略する。
【００６７】
この他、図６の選択画面１０−３には、ステンレス製ヘアライン仕上かご操作盤のバリエーションだけでなく、フェースプレート、インジケータ、ボタンを単独でそれぞれ指定する仕様情報が埋め込まれた選択オブジェクト２０−１７〜３１が表示されている。これら選択オブジェクト２０−１７〜３１は、カタログデータに含まれる昇降機を構成する部材を指定する画像に対応するように構成されている。このうち、選択オブジェクト２０−１７〜３１は、インジケータバリエーションの４パターンをそれぞれ特定する仕様情報（図６において、昇降機を構成するかご操作盤のインジケータを指定する部材指定仕様情報）が埋め込まれている。また、選択オブジェクト２０−２１〜３１には、ボタンバリエーションの１１パターンをそれぞれ特定する仕様情報（図６において、昇降機を構成するかご操作盤のボタンを指定する部材指定仕様情報）が埋め込まれている。具体的には、選択オブジェクト２０−２１〜２２は、凸文字ボタンの２パターンをそれぞれ指定する仕様情報、選択オブジェクト２０−２３〜３０は、クリックタッチボタンの８パターンをそれぞれ指定する仕様情報、選択オブジェクト２０−３１には、６０ｍｍ大型ボタンの１パターンを指定する仕様情報が埋め込まれている。
【００６８】
図７の選択画面１０−４に表示された選択オブジェクト２０−３２〜４４は、カタログデータに含まれる昇降機を構成する部材を指定する画像に対応するように構成されている。このうち、選択オブジェクト２０−３２〜４１には、かご室側板・かごドア・幕板（非塩ビ系化粧鋼板）のカラーバリエーションの１０パターンをそれぞれ特定する仕様情報（図７において、昇降機を構成するかご室側板・かごドア・幕板の色を指定する部材指定仕様情報）が埋め込まれている。また、図７の選択画面１０−４に表示された選択オブジェクト２０−４２〜４４には、かご室天井（非塩ビ系化粧鋼板）のカラーバリエーションの３パターンをそれぞれ特定する仕様情報（図７において、昇降機を構成するかご室天井の色を指定する部材指定仕様情報）が埋め込まれている。
【００６９】
図８の選択画面１０−５に表示された選択オブジェクト２０−４５と２０−４７は、カタログデータに含まれる昇降機を指定する画像に対応するように構成されている。例えば、選択オブジェクト２０−４５は、住宅用乗り場のデザインパターン１を乗り場側から見た画像に対応するオブジェクトである。また、選択オブジェクト２０−４７は、住宅用乗り場のデザインパターン２を乗り場側から見た画像に対応するオブジェクトである。選択オブジェクト２０−４５と２０−４７には、住宅用乗り場デザインのバリエーションの２パターンをそれぞれ特定する仕様情報（図８において、昇降機を構成する乗り場の三方枠、乗り場ドア、しきい、インジケータ・ボタンの組合せを指定する部材指定仕様情報）が埋め込まれている。例えば、選択オブジェクト２０−４５を例に説明すると、選択オブジェクト２０−４５には、三方枠「大枠  ステンレス製ヘアライン仕上」、乗り場ドア「ステンレス製ヘアラインエッチング仕上」、しきい「硬質アルミ製」、車いす専用乗り場インジケータ・ボタン「フェースプレート：ステンレス製ヘアライン仕上（板曲げタイプ）  インジケータ：デジタル階床表示  ボタン：凸文字ボタン（抗菌ボタン）」を指定する仕様情報が埋め込まれている。選択オブジェクト２０−４７に埋め込まれている仕様情報の詳細については、選択オブジェクト２０−４５が指定する三方枠、乗り場ドア、しきい、インジケータ・ボタンの組合せが一部異なる点以外は同様であるため、説明を省略する。
【００７０】
また、図８において、選択画面１０−５に表示された選択オブジェクト２０−４６と２０−４８は、カタログデータに含まれる昇降機を指定する文字に対応するように構成されている。例えば、選択オブジェクト２０−４６は、住宅用乗り場のデザインパターン１を示す「住宅用乗り場デザイン（１）」の文字に対応するオブジェクトである。また、選択オブジェクト２０−４８は、住宅用乗り場のデザインパターン２を示す「住宅用乗り場デザイン（２）」の文字に対応するオブジェクトである。この選択オブジェクト２０−４６には、選択オブジェクト２０−４５と同様に、住宅用乗り場のデザインパターン１を特定する仕様情報が埋め込まれている。また、選択オブジェクト２０−４８には、選択オブジェクト２０−４７と同様に、住宅用乗り場のデザインパターン２を特定する仕様情報が埋め込まれている。
【００７１】
更に、図８において、選択画面１０−５に表示された選択オブジェクト２０−４６ａ〜４６ｄと２０−４８ａ〜２０−４８ｄは、カタログデータに含まれる昇降機を構成する部材を指定する文字に対応するように構成されている。この選択オブジェクト２０−４６ａ〜４６ｄには、住宅用乗り場のデザインパターン１を構成する部材（図８において、三方枠、乗り場ドア、しきい、車いす専用乗り場液晶インジケータ・ボタン）を特定する仕様情報が、それぞれ埋め込まれている。また、選択オブジェクト２０−４８ａ〜４８ｄには、住宅用乗り場のデザインパターン２を構成する部材（図８において、三方枠、乗り場ドア、しきい、車いす専用乗り場液晶インジケータ・ボタン）を特定する仕様情報が、それぞれ埋め込まれている。
【００７２】
このように、図４〜図８に示すように、選択画面１０上の選択オブジェクト２０には、
昇降機を指定する昇降機指定仕様情報、または、昇降機を構成する部材を指定する部材指定仕様情報が埋め込まれている。これにより、本実施形態では、後述のステップＳＡ−５において、作成条件生成部１０２ｃは、選択画面１０を介して検出される選択オブジェクト２０に対する選択操作に応じて、当該選択操作が行われた選択オブジェクト２０に埋め込まれた仕様情報を抽出し、この仕様情報を用いて昇降機の作成条件を生成することができる。本実施形態において、選択オブジェクト２０とは、カタログデータに含まれる昇降機の画像または文字、あるいは、当該昇降機を構成する部材の画像または文字に対応するように構成された、利用者が選択可能なオブジェクトである。なお、本実施形態において、選択オブジェクト２０は、設計施工資料に記載された平面図に対応するように構成されたオブジェクトであってもよい。この場合、平面図に対応する選択オブジェクト２０には、当該平面図が指定する各種部材の仕様情報が埋め込まれているものとする。
【００７３】
図３に戻り、ステップＳＡ−５から、第１の実施形態におけるＢＩＭシステムの処理に説明を続ける。端末装置１００の作成条件生成部１０２ｃは、ステップＳＡ−４にて選択画面表示部１０２ｂの処理により表示された選択画面１０を介して検出される、カタログデータに含まれる昇降機の画像または当該昇降機を構成する部材の画像を選択する利用者の選択操作に応じて、昇降機の作成条件を生成する（ステップＳＡ−５）。本実施形態において、選択操作は、カタログデータに含まれる昇降機を指定する文字または当該昇降機を構成する部材を指定する文字を選択する操作を含む。
【００７４】
ここで、ステップＳＡ−５において、作成条件生成部１０２ｃは、選択画面１０上に表示された選択オブジェクト２０から昇降機指定仕様情報（例えば、図４に示した選択オブジェクト２０−１〜４、図５に示した選択オブジェクト２０−５〜８と選択オブジェクト２０−９〜１２に対応する昇降機指定仕様情報）を抽出した場合は、当該昇降機指定仕様情報が指定する昇降機を作成する作成条件を生成する。また、ステップＳＡ−５において、作成条件生成部１０２ｃは、選択画面１０上に表示された選択オブジェクト２０から部材指定仕様情報（例えば、図４に示した選択オブジェクト２０−４ａ〜４ｍ、図５に示した選択オブジェクト２０−８ａ〜８ｑと選択オブジェクト２０−１２ａ〜１２ｍ等にそれぞれ対応する部材指定仕様情報）が複数抽出された場合は、当該部材指定仕様情報が指定する部材の組合せにより構成される昇降機を作成する作成条件を生成する。
【００７５】
なお、本実施形態において、作成条件生成部１０２ｃは、ＢＩＭモデル内の昇降機の設置予定領域に設置可能なように作成条件を生成するものとする。つまり、作成条件生成部１０２ｃは、ＢＩＭモデルに含まれる属性情報（建築情報、構造情報等）に基づいて、作成条件にしたがって作成されるＢＩＭパーツが昇降機の設置予定領域に設置可能か否かを判定する。そして、作成条件生成部１０２ｃは、設置不可能であると判定した場合は、作成条件が指定する部材のサイズ等を変更することにより、作成条件にしたがって作成されるＢＩＭパーツがＢＩＭモデル内の昇降機の設置予定領域に設置可能なように調整する。更に、本実施形態において、作成条件生成部１０２ｃは、サーバ装置２００の記憶部２０６に記憶された法規情報を受信して、作成条件が当該法情報を満たすか否かを判定してもよい。この場合、作成条件生成部１０２ｃは、法規情報を満たすと判定された作成条件を、最終的な作成条件として確定する。
【００７６】
また、ステップＳＡ−５において、作成条件生成部１０２ｃは、選択画面１０上に表示された選択オブジェクト２０から抽出した仕様情報、および、利用者により入力部１１８を介して入力される詳細条件に基づいて、作成条件を生成してもよい。例えば、利用者は、図４〜図８で示した選択オブジェクト２０から抽出された仕様情報では指定しきれない、オプションの有償付加仕様等を入力部１１８を介して詳細条件として入力する。この場合、作成条件生成部１０２ｃは、仕様情報に基づいて作成された作成条件に対して、更に利用者により入力部１１８を介して入力された詳細条件を加えて、最終的な作成条件として生成する。この他、利用者は、仕様情報に基づいて作成された作成条件の項目を入力部１１８を介して変更してもよい。この場合、作成条件生成部１０２ｃは、仕様情報に基づいて作成された作成条件に対して、更に利用者により入力部１１８を介して変更された項目について修正した上で、最終的な作成条件として生成する。
【００７７】
そして、端末装置１００の条件送信部１０２ｄは、ステップＳＡ−５にて作成条件生成部１０２ｃの処理により生成された昇降機の作成条件をサーバ装置２００へ送信する（ステップＳＡ−６）。
【００７８】
そして、サーバ装置２００の条件受信部２０２ｃは、ステップＳＡ−６にて条件送信部１０２ｄの処理により送信される作成条件を受信する（ステップＳＡ−７）。
【００７９】
そして、サーバ装置２００の昇降機モデリング部２０２ｄは、ステップＳＡ−７にて条件受信部２０２ｃの処理により受信された作成条件に対応する昇降機のＢＩＭパーツを、パーツ情報データベース２０６ａに記憶されたパーツ情報を用いて作成する（ステップＳＡ−８）。例えば、ステップＳＡ−８において、昇降機モデリング部２０２ｄは、図９に示すようなエレベータの３次元のＢＩＭパーツを作成する。ここで、図９は、昇降機のＢＩＭパーツの一例を示す図である。図９の左側は、昇降路、乗りかご、ガイドレール等のユニットから構成されるＢＩＭパーツであり、図９の右側は、乗り場ホーム関連品の一例として、乗降口のドアのユニット等から構成されるＢＩＭパーツである。ここで、昇降機モデリング部２０２ｄは、利用者が選択可能なように、作成条件を満たす複数の昇降機のＢＩＭパーツを作成してもよい。
【００８０】
なお、本実施形態において、ステップＳＡ−８の処理の後、見積り計算部２０２ｆは、昇降機モデリング部２０２ｄにより作成されたＢＩＭパーツに含まれるパーツ情報（例えば、昇降機を構成する部材の価格を示す情報）に基づいて、当該ＢＩＭパーツに対応する昇降機の見積り情報を計算してもよい。
【００８１】
そして、サーバ装置２００の情報提供部２０２ｅは、ステップＳＡ−８にて昇降機モデリング部２０２ｄの処理により作成された昇降機のＢＩＭパーツ等を含むサーバ装置２００の計算結果を端末装置１００へ送信する（ステップＳＡ−９）。ステップＳＡ−９において、情報提供部２０２ｅは、複数のＢＩＭパーツを含む計算結果を端末装置１００へ送信してもよい。また、情報提供部２０２ｅは、見積り計算部２０２ｆの処理により昇降機の見積り情報が計算された場合は、当該昇降機の見積り情報を含む計算結果を端末装置１００へ送信してもよい。
【００８２】
そして、端末装置１００の情報取得部１０２ｅは、ステップＳＡ−９にて情報提供部２０２ｅの処理により送信される作成条件に対応するＢＩＭパーツを含む計算結果を受信する（ステップＳＡ−１０）。ステップＳＡ−１０において、情報取得部１０２ｅは、複数のＢＩＭパーツを含む計算結果をサーバ装置２００から受信してもよい。また、情報取得部１０２ｅは、情報提供部２０２ｅの処理により昇降機の見積り情報を含む計算結果が送信された場合は、当該昇降機の見積り情報を含む計算結果をサーバ装置２００から受信してもよい。
【００８３】
そして、端末装置１００のレイアウト画面生成部１０２ｇは、ステップＳＡ−１０にて情報取得部１０２ｅの処理により受信されたＢＩＭパーツを少なくとも含むレイアウト画面を生成する（ステップＳＡ−１１）。ステップＳＡ−１１において、レイアウト画面生成部１０２ｇは、ステップＳＡ−１０にて情報取得部１０２ｅにより、ＢＩＭパーツに対応する昇降機の見積り情報が受信された場合、当該昇降機の見積り情報を更に含むレイアウト画面を生成してもよい。
【００８４】
なお、本実施形態において、ステップＳＡ−１１の処理の前に、端末装置１００の統合モデリング部１０２ｆは、ステップＳＡ−１０にて情報取得部１０２ｅの処理により受信されたＢＩＭパーツを、ＢＩＭモデルデータベース１０６ａに記憶されたＢＩＭモデル内の設置予定領域に設置した統合ＢＩＭモデルを作成してもよい。この場合、ステップＳＡ−１１において、レイアウト画面生成部１０２ｇは、例えば、図１０に示すように、統合モデリング部１０２ｆの処理により作成された統合ＢＩＭモデルを含むレイアウト画面を生成してもよい。ここで、図１０は、レイアウト画面の一例を示す図である。図１０には、建築物の完成時におけるエレベータの設置状態を示す統合ＢＩＭモデルの一部が示されている。
【００８５】
そして、端末装置１００のレイアウト画面表示部１０２ｈは、ステップＳＡ−１１にてレイアウト画面生成部１０２ｇの処理により生成されたレイアウト画面を表示部１１４に表示させる（ステップＳＡ−１２）。
【００８６】
そして、端末装置１００の制御部１０２は、ステップＳＡ−１２の処理の後、利用者により入力部１１８を介してシミュレーションを実行させるための計算条件の入力があるか否かに基づいて、シミュレーションを実行するかを判定する（ステップＳＡ−１３）。
【００８７】
ステップＳＡ−１３において、制御部１０２により、計算条件の入力がありシミュレーションを実行すると判定された場合（ステップＳＡ−１３：Ｙｅｓ）、端末装置１００のシミュレーション部１０２ｊは、利用者により入力される計算条件、情報取得部１０２ｅの処理により受信されたＢＩＭパーツ、および、ＢＩＭモデルデータベース１０６ａに記憶されたＢＩＭモデルに含まれる建築物に関する建物情報、に基づいて、計算式ファイル１０６ｂに記憶された所定の計算式を用いて、昇降機の交通計算および消費電力計算のうち少なくとも一つを実行する（ステップＳＡ−１４）。この場合、シミュレーション部１０２ｊは、ステップＳＡ−１０にて情報取得部１０２ｅの処理により受信されたＢＩＭパーツのパーツ情報に含まれる動作パラメータを、ＢＩＭモデルデータベース１０６ａに記憶されたＢＩＭモデルに含まれる建築物に関する建物情報を制約条件として参照しつつ、利用者により入力される計算条件に基づいて設定することで、昇降機の交通計算および消費電力計算のうち少なくとも一つを実行する。そして、端末装置１００の制御部１０２は、シミュレーション部１０２ｊにより計算された昇降機の交通計算および消費電力計算のうち少なくとも一つの計算結果を、表示部１１４に表示させる。その後、ステップＳＡ−１５の処理へ移行する。
【００８８】
一方、ステップＳＡ−１３において、制御部１０２により、計算条件の入力がなくシミュレーションを実行しないと判定された場合（ステップＳＡ−１３：Ｎｏ）、ステップＳＡ−１５の処理へ移行する。
【００８９】
そして、端末装置１００の制御部１０２は、利用者により入力部１１８を介してＢＩＭパーツを変更するため変更モードへの切替入力があるか否かに基づいて、昇降機の変更を行うかを判定する（ステップＳＡ−１５）。
【００９０】
ステップＳＡ−１５において、制御部１０２により、変更モードへの切替入力があり昇降機の変更を行うと判定された場合（ステップＳＡ−１５：Ｙｅｓ）、ステップＳＡ−４の処理へ戻り、再度選択画面を介して検出される選択操作に応じて、昇降機を変更するための処理を実行する（ステップＳＡ−４〜ＳＡ−８）。例えば、変更部１０２ｉは、利用者により入力される選択操作に基づく変更条件に応じて、ＢＩＭパーツに含まれるパーツ情報の設定パラメータを変更することで、当該ＢＩＭパーツを変更する。設定パラメータは、ＢＩＭパーツを構成する各ユニットのサイズ、色、材質等を規定するパラメータを含む。
【００９１】
一方、ステップＳＡ−１５において、制御部１０２により、変更モードへの切替入力がなく昇降機の変更を行わないと判定された場合（ステップＳＡ−１５：Ｎｏ）、本処理を終了する。
【００９２】
以上で、第１の実施形態におけるＢＩＭシステムの処理の一例の説明を終える。
【００９３】
このように、第１の実施形態のＢＩＭシステムにおいて、サーバ装置２００は、カタログデータファイル２０６ｂに記憶されたカタログデータに基づいて、当該カタログデータに含まれる昇降機または当該昇降機を構成する部材を選択可能な選択画面１０を生成し、生成された選択画面１０を端末装置１００へ送信する。そして、端末装置１００は、サーバ装置２００から送信された選択画面１０を表示部１１４に表示させ、表示された選択画面１０を介して検出される、カタログデータに含まれる昇降機の画像または当該昇降機を構成する部材の画像を選択する利用者の選択操作に応じて、昇降機の作成条件を生成し、生成された作成条件をサーバ装置２００へ送信する。そして、サーバ装置２００は、端末装置１００から送信された昇降機の作成条件に対応するＢＩＭパーツを、パーツ情報データベース２０６ａに記憶されたパーツ情報を用いて作成し、作成されたＢＩＭパーツを端末装置１００へ送信する。そして、端末装置１００は、サーバ装置２００から送信された作成条件に対応するＢＩＭパーツを受信し、受信されたＢＩＭパーツを少なくとも含むレイアウト画面を生成し、生成されたレイアウト画面を表示部１１４に表示させる。これにより、本実施形態のＢＩＭシステムによれば、昇降機のカタログや設計施工資料から選択された所望の昇降機に対応するＢＩＭパーツを容易かつ迅速に作成することができる。よって、昇降機の設備計画を提案する際、建築物のＢＩＭモデルを用いて、昇降機を視覚的に分かりやすく表示しながら、効率的に昇降機の設備計画を検討することが可能となる。例えば、利用者は、本実施形態のＢＩＭシステムを使用することで、複数の資料を広げる必要がなくなり、検討作業をスムーズに行うことができる。また、利用者は、作成条件を満たす複数のＢＩＭパーツを用いて、複数パターンの昇降機の設備計画を容易に検討することもできる。
【００９４】
また、本実施形態のＢＩＭシステムでは、選択操作は、カタログデータに含まれる昇降機を指定する文字または当該昇降機を構成する部材を指定する文字を選択する操作を含む。これにより、本実施形態のＢＩＭシステムによれば、昇降機のカタログを模した選択画面１０上に表示された画像に加え、文字に基づいても仕様の詳細を設定することができるので、より利用者の希望に合った昇降機の仕様に対応するＢＩＭパーツを柔軟に作成することができる。
【００９５】
また、本実施形態のＢＩＭシステムでは、建築物のＢＩＭモデル内の昇降機の設置予定領域に設置可能なように、作成条件を生成する。これにより、本実施形態のＢＩＭシステムによれば、例えば、昇降機のカタログを模した選択画面１０上に表示された昇降機の画像や文字を選択することで作成されたＢＩＭパーツの作成条件が、当該ＢＩＭパーツを設置する建築物のＢＩＭモデル内に設置可能な条件であるかを確認することができる。そのため、例えば、利用者の希望に合う仕様が記載されていない場合であっても、建築物のＢＩＭモデル内に設置可能であれば、利用者が入力部１１８を介して詳細条件を入力することで、利用者の希望に合う昇降機の仕様に対応するＢＩＭパーツをより柔軟に作成することができる。
【００９６】
また、本実施形態のＢＩＭシステムでは、作成されたＢＩＭパーツに基づいて、当該ＢＩＭパーツに対応する昇降機の見積り情報を計算し、計算された見積り情報を更に含むレイアウト画面を生成する。これにより、本実施形態のＢＩＭシステムによれば、昇降機の設備計画を提案する際、昇降機の導入の際に発生する費用を示す見積り情報を、対象の昇降機のＢＩＭパーツとともに分かりやすく表示することができる。
【００９７】
また、本実施形態のＢＩＭシステムでは、作成されたＢＩＭパーツを、ＢＩＭモデルデータベース１０６ａに記憶されたＢＩＭモデル内の設置予定領域に設置した統合ＢＩＭモデルを作成し、作成された統合ＢＩＭモデルを含むレイアウト画面を生成する。これにより、本実施形態のＢＩＭシステムによれば、昇降機の設備計画を提案する際、建築物に昇降機を組み込んだ状態を視覚的に分かりやすく表示することができる。
【００９８】
また、本実施形態のＢＩＭシステムでは、利用者により入力される計算条件、情報取得部１０２ｅの処理により受信されたＢＩＭパーツ、および、ＢＩＭモデルデータベース１０６ａに記憶されたＢＩＭモデルに含まれる建築物に関する建物情報、に基づいて、計算式ファイル１０６ｂに記憶された所定の計算式を用いて、昇降機の交通計算または消費電力計算を実行する。これにより、本実施形態のＢＩＭシステムによれば、昇降機の設備計画を提案する際、昇降機を導入した場合を想定して、昇降機の交通計算の結果または昇降機の消費電力計算の結果を示すシミュレーション結果を、対象の昇降機のＢＩＭパーツとともに分かりやすく表示することができる。
【００９９】
［第２の実施形態］
続いて、第２の実施形態について、図１１および図１２を参照して以下に説明する。ここで、図１１は、第２の実施形態におけるＢＩＭシステムの構成の一例を示すブロック図であり、該構成のうち本実施形態に関係する部分を概念的に示している。
【０１００】
なお、第２の実施形態においては、サーバ装置２００側で選択操作に応じた検出信号に基づいて作成条件を作成し、当該作成条件に対応するＢＩＭパーツを含むレイアウト画面を端末装置１００へ送信して、当該端末装置１００の表示部１１４に表示させるように制御している。このように、第２の実施形態は、サーバ装置２００にてサーバ主導で処理を行う点が、その他の実施形態と異なる。
【０１０１】
［第２の形態におけるＢＩＭシステムの構成］
まず、第２の実施形態におけるＢＩＭシステムの構成の一例について、図１１を参照して以下に説明する。
【０１０２】
図１１に示すように、第２の実施形態のサーバ装置２００は、出力部（表示部１１４および音声出力部１１６）と入力部１１８と制御部１０２とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これらサーバ装置２００および端末装置１００の各部は任意の通信路を介して通信可能に接続されている。
【０１０３】
図１１において、サーバ装置２００は、記憶部２０６に記憶されたカタログデータに基づいて選択画面１０を生成し、生成された選択画面１０を端末装置１００へ送信し、当該選択画面１０を端末装置１００の表示部１１４に表示させるように制御する等の機能を有する。また、サーバ装置２００は、端末装置１００において、表示部１１４に表示された選択画面１０を介して検出される選択操作に対応する検出信号を、端末装置１００から受信し、当該検出信号に応じて、昇降機の作成条件を生成する等の機能を有する。また、サーバ装置２００は、生成された作成条件に対応するＢＩＭパーツを、記憶部２０６に記憶されたパーツ情報を用いて作成する等の機能を有する。また、サーバ装置２００は、作成されたＢＩＭパーツを少なくとも含むレイアウト画面を生成し、生成されたレイアウト画面を端末装置１００へ送信し、当該レイアウト画面を端末装置１００の表示部１１４に表示させるように制御する等の機能を有する。
【０１０４】
なお、サーバ装置２００における通信制御インターフェース部２０４および記憶部２０６（パーツ情報データベース２０６ａ、カタログデータファイル２０６ｂ、ＢＩＭモデルデータベース２０６ｃ、計算式ファイル２０６ｄ等）の機能、また、端末装置１００における表示部１１４、音声出力部１１６、および、入力部１１８の機能は、第１の実施形態と同様であるため説明を省略する。
【０１０５】
また、図１１において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、選択画面生成部２０２ａ、条件受信部２０２ｃ、昇降機モデリング部２０２ｄ、見積り計算部２０２ｆ、選択画面表示制御部２０２ｇ、検出信号受信部２０２ｈ、作成条件生成部２０２ｉ、統合モデリング部２０２ｊ、レイアウト画面生成部２０２ｋ、レイアウト画面表示制御部２０２ｍ、変更部２０２ｍ、および、シミュレーション部２０２ｐを備える。
【０１０６】
このうち、選択画面生成部２０２ａは、カタログデータファイル２０６ｂに記憶されたカタログデータに基づいて、当該カタログデータに含まれる昇降機または当該昇降機を構成する部材を選択可能な選択画面１０を生成する選択画面生成手段である。
【０１０７】
また、条件受信部２０２ｃは、端末装置１００から送信される見積り計算、交通計算および消費電力計算のうち少なくとも一つを実行するための計算条件を受信する条件受信手段である。本実施形態において、条件受信部２０２ｃは、作成条件生成部２０２ｉにより選択操作に応じた検出信号に基づいて作成される作成条件とは別に、端末装置１００の入力部１１８を介して利用者により入力された作成条件を受信してもよい。また、条件受信部２０２ｃは、端末装置１００の表示部１１４に表示されたレイアウト画面上で、利用者がＢＩＭパーツを変更する変更操作を行った場合に送信される昇降機の変更条件を受信してもよい。
【０１０８】
また、昇降機モデリング部２０２ｄは、作成条件生成部２０２ｉにより生成された作成条件に対応するＢＩＭパーツを、パーツ情報データベース２０６ａに記憶されたパーツ情報を用いて作成する昇降機モデリング手段である。ここで、昇降機モデリング部２０２ｄは、作成条件に合致する範囲内でＢＩＭパーツを複数作成してもよい。また、昇降機モデリング部２０２ｄは、作成した昇降機のＢＩＭパーツを記憶部２０６に格納して、ＢＩＭパーツデータベース（図示せず）を構築してもよい。なお、昇降機モデリング部２０２ｄは、条件受信部２０２ｃにより昇降機の作成条件が受信された場合、当該作成条件に対応するＢＩＭパーツを、パーツ情報データベース２０６ａに記憶されたパーツ情報を用いて作成してもよい。
【０１０９】
また、見積り計算部２０２ｆは、昇降機モデリング部２０２ｄにより作成されたＢＩＭパーツに含まれるパーツ情報（例えば、昇降機を構成する部材の価格を示す情報）に基づいて、当該ＢＩＭパーツに対応する昇降機の見積り情報を、計算する見積り計算手段である。
【０１１０】
また、選択画面表示制御部２０２ｇは、選択画面生成部２０２ａにより生成された選択画面１０を端末装置１００へ送信し、当該選択画面１０を端末装置１００の表示部１１４に表示させるように制御する選択画面表示制御手段である。
【０１１１】
また、検出信号受信部２０２ｈは、選択画面表示制御部２０２ｇにより端末装置１００の表示部１１４に表示された選択画面１０を介して検出される、カタログデータに含まれる昇降機の画像または当該昇降機を構成する部材の画像を選択する利用者の選択操作に応じた検出信号を、端末装置１００から受信する検出信号受信手段である。本実施形態において、選択操作は、カタログデータに含まれる昇降機を指定する文字または当該昇降機を構成する部材を指定する文字を選択する操作を含む。
【０１１２】
また、作成条件生成部２０２ｉは、検出信号受信部２０２ｈにより受信された選択操作に応じた検出信号に基づいて、昇降機の作成条件を生成する作成条件生成手段である。なお、本実施形態において、作成条件生成部２０２ｉは、建築物のＢＩＭモデル内の昇降機の設置予定領域に設置可能なように、作成条件を生成するものとする。
【０１１３】
また、統合モデリング部２０２ｊは、昇降機モデリング部２０２ｄにより作成されたＢＩＭパーツを、ＢＩＭモデルデータベース２０６ｃに記憶されたＢＩＭモデル内の設置予定領域に設置した統合ＢＩＭモデルを作成する統合モデリング手段である。ここで、統合モデリング部２０２ｊは、作成した統合ＢＩＭモデルを記憶部２０６に格納して、統合ＢＩＭモデルデータベース（図示せず）を構築してもよい。
【０１１４】
また、レイアウト画面生成部２０２ｋは、昇降機モデリング部２０２ｄにより作成されたＢＩＭパーツを少なくとも含むレイアウト画面を生成するレイアウト画面生成手段である。ここで、レイアウト画面生成部２０２ｋは、統合モデリング部２０２ｊにより作成された統合ＢＩＭモデルを含むレイアウト画面を生成してもよい。また、レイアウト画面生成部２０２ｋは、昇降機モデリング部２０２ｄにより作成されたＢＩＭパーツに対応する見積り情報を更に含むレイアウト画面を生成してもよい。
【０１１５】
また、レイアウト画面表示制御部２０２ｍは、レイアウト画面生成部２０２ｋにより生成されたレイアウト画面を端末装置１００へ送信し、当該レイアウト画面を端末装置１００の表示部１１４に表示させるように制御する画面表示制御手段である。
【０１１６】
また、変更部２０２ｎは、条件受信部２０２ｃにより端末装置１００から受信された昇降機の変更条件に基づいて、ＢＩＭパーツを変更する変更手段である。具体的には、変更部２０２ｎは、利用者により入力される選択操作に基づく変更条件に応じてＢＩＭパーツに含まれるパーツ情報の設定パラメータを変更することで、当該ＢＩＭパーツを変更する。設定パラメータは、ＢＩＭパーツを構成する各ユニットのサイズ、色、材質等を規定するパラメータを含む。
【０１１７】
また、シミュレーション部２０２ｐは、条件受信部２０２ｃにより端末装置１００から受信された昇降機の交通計算および消費電力計算のうち少なくとも一つを実行するための計算条件、昇降機モデリング部２０２ｄにより作成されたＢＩＭパーツ、および、ＢＩＭモデルデータベース２０６ｃに記憶されたＢＩＭモデルに含まれる建築物に関する建物情報、に基づいて、計算式ファイル２０６ｄに記憶された所定の計算式を用いて、昇降機の交通計算または消費電力計算を実行するシミュレーション手段である。例えば、シミュレーション部２０２ｐは、昇降機モデリング部２０２ｄにより作成されたＢＩＭパーツのパーツ情報に含まれる動作パラメータを、ＢＩＭモデルデータベース２０６ｃに記憶されたＢＩＭモデルに含まれる建築物に関する建物情報を制約条件として参照しつつ、利用者により入力される計算条件に基づいて設定することで、昇降機の交通計算または消費電力計算を実行する。このシミュレーション部２０２ｐにより計算された交通計算の結果および消費電力計算の結果は、制御部２０２の処理により端末装置１００へ送信される。
【０１１８】
以上で、第２の実施形態におけるＢＩＭシステムの構成の一例の説明を終える。
【０１１９】
［第２の実施形態におけるＢＩＭシステムの処理］
次に、このように構成された第２の実施形態におけるＢＩＭシステムの処理の一例について、以下に図１２を参照して詳細に説明する。図１２は、第２の実施形態におけるＢＩＭシステムの処理の一例を示すフローチャートである。
【０１２０】
図１２に示すように、サーバ装置２００の選択画面生成部２０２ａは、カタログデータファイル２０６ｂに記憶されたカタログデータに基づいて、当該カタログデータに含まれる昇降機または当該昇降機を構成する部材を選択可能な選択画面１０を生成する（ステップＳＢ−１）。本実施形態において、選択画面１０を生成する契機は、例えば、利用者が入力部１１８を介して選択画面１０を呼び出す指示操作を行った場合にサーバ装置２００へ送信される指示信号を受信したタイミングである。この他、端末装置１００側でＢＩＭアプリケーションを実行したタイミングであってもよいし、カタログデータファイル２０６ｂに記憶されるカタログデータが更新されたタイミングであってもよい。
【０１２１】
そして、サーバ装置２００の選択画面表示制御部２０２ｇは、ステップＳＢ−１にて選択画面生成部２０２ａの処理により生成された選択画面１０を端末装置１００へ送信し（ステップＳＢ−２）、当該選択画面１０を端末装置１００の表示部１１４に表示させるように制御する（ステップＳＢ−３）。ステップＳＢ−２〜３において表示される選択画面１０は、例えば、上述の図４〜図８に示した選択画面１０−１〜５である。
【０１２２】
そして、端末装置１００の制御部１０２は、ステップＳＢ−２〜３にて選択画面表示制御部２０２ｇの処理により端末装置１００の表示部１１４に表示された選択画面１０を介して検出される、カタログデータに含まれる昇降機の画像または当該昇降機を構成する部材の画像を選択する利用者の選択操作に応じた検出信号を、サーバ装置２００を送信する（ステップＳＢ−４）。本実施形態において、選択操作は、カタログデータに含まれる昇降機を指定する文字または当該昇降機を構成する部材を指定する文字を選択する操作を含む。ステップＳＢ−４において、端末装置１００の制御部１０２は、選択画面１０上に表示される選択オブジェクト２０に対する選択操作に応じて、当該選択オブジェクト２０を特定する検出信号をサーバ装置２００へ送信する。
【０１２３】
そして、サーバ装置２００の検出信号受信部２０２ｈは、ステップＳＢ−４にて制御部１０２の処理により送信される検出信号を、端末装置１００から受信する（ステップＳＢ−５）。
【０１２４】
そして、サーバ装置２００の作成条件生成部２０２ｉは、ステップＳＢ−５にて検出信号受信部２０２ｈの処理により受信された選択操作に応じた検出信号に基づいて、昇降機の作成条件を生成する（ステップＳＢ−６）。ステップＳＢ−６において、作成条件生成部２０２ｉは、受信した検出信号が特定する選択オブジェクト２０から仕様情報を抽出して、抽出した仕様情報に基づいて作成条件を生成する。
【０１２５】
ここで、ステップＳＢ−６において、作成条件生成部２０２ｉは、選択画面１０上に表示された選択オブジェクト２０から昇降機指定仕様情報（例えば、図４に示した選択オブジェクト２０−１〜４、図５に示した選択オブジェクト２０−５〜８と選択オブジェクト２０−９〜１２に対応する昇降機指定仕様情報）を抽出した場合は、当該昇降機指定仕様情報が指定する昇降機を作成する作成条件を生成する。また、ステップＳＢ−６において、作成条件生成部２０２ｉは、選択画面１０上に表示された選択オブジェクト２０から部材指定仕様情報（例えば、図４に示した選択オブジェクト２０−４ａ〜４ｍ、図５に示した選択オブジェクト２０−８ａ〜８ｑと選択オブジェクト２０−１２ａ〜１２ｍ等にそれぞれ対応する部材指定仕様情報）が複数抽出された場合は、当該部材指定仕様情報が指定する部材の組合せにより構成される昇降機を作成する作成条件を生成する。
【０１２６】
なお、本実施形態において、作成条件生成部２０２ｉは、建築物のＢＩＭモデル内の昇降機の設置予定領域に設置可能なように、作成条件を生成するものとする。つまり、作成条件生成部２０２ｉは、ＢＩＭモデルに含まれる属性情報（建築情報、構造情報等）に基づいて、作成条件にしたがって作成されるＢＩＭパーツが昇降機の設置予定領域に設置可能か否かを判定する。そして、作成条件生成部２０２ｉは、設置不可能であると判定した場合は、作成条件が指定する部材のサイズ等を変更することにより、作成条件にしたがって作成されるＢＩＭパーツがＢＩＭモデル内の昇降機の設置予定領域に設置可能なように調整する。
【０１２７】
また、ステップＳＢ−６において、作成条件生成部２０２ｉは、検出信号に基づいて選択画面１０上に表示された選択オブジェクト２０から抽出した仕様情報、および、端末装置１００において利用者により入力部１１８を介して入力されてサーバ装置２００へ送信される詳細条件に基づいて、作成条件を生成してもよい。例えば、利用者は、図４〜図８で示した選択オブジェクト２０から抽出された仕様情報では指定しきれない、オプションの有償付加仕様等を入力部１１８を介して詳細条件として入力する。この場合、作成条件生成部２０２ｉは、仕様情報に基づいて作成された作成条件に対して、更に利用者により入力部１１８を介して入力された詳細条件を加えて、最終的な作成条件として生成する。この他、利用者は、仕様情報に基づいて作成された作成条件の項目を入力部１１８を介して変更してもよい。この場合、作成条件生成部２０２ｉは、仕様情報に基づいて作成された作成条件に対して、更に利用者により入力部１１８を介して変更された項目について修正した上で、最終的な作成条件として生成する。
【０１２８】
そして、サーバ装置２００の昇降機モデリング部２０２ｄは、ステップＳＢ−６にて作成条件生成部２０２ｉの処理により生成された作成条件に対応するＢＩＭパーツを、パーツ情報データベース２０６ａに記憶されたパーツ情報を用いて作成する（ステップＳＢ−７）。例えば、ステップＳＢ−７において、昇降機モデリング部２０２ｄは、図９に示すようなエレベータの３次元のＢＩＭパーツを作成する。ここで、昇降機モデリング部２０２ｄは、利用者が選択可能なように、作成条件を満たす複数の昇降機のＢＩＭパーツを作成してもよい。
【０１２９】
なお、本実施形態において、ステップＳＢ−７の処理の後、サーバ装置２００の見積り計算部２０２ｆは、昇降機モデリング部２０２ｄの処理により作成されたＢＩＭパーツに含まれるパーツ情報（例えば、昇降機を構成する部材の価格を示す情報）に基づいて、当該ＢＩＭパーツに対応する昇降機の見積り情報を計算してもよい。
【０１３０】
そして、サーバ装置２００のレイアウト画面生成部２０２ｋは、ステップＳＢ−７にて昇降機モデリング部２０２ｄの処理により作成されたＢＩＭパーツを少なくとも含むレイアウト画面を生成する（ステップＳＢ−８）。ステップＳＢ−８において、レイアウト画面生成部２０２ｋは、ＢＩＭパーツに対応する昇降機の見積り情報が作成された場合は、当該昇降機の見積り情報を更に含むレイアウト画面を生成してもよい。
【０１３１】
なお、本実施形態において、ステップＳＢ−８の処理の前に、サーバ装置２００の統合モデリング部２０２ｊは、ステップＳＢ−７にて昇降機モデリング部２０２ｄの処理により作成されたＢＩＭパーツを、ＢＩＭモデルデータベース２０６ｃに記憶されたＢＩＭモデル内の設置予定領域に設置した統合ＢＩＭモデルを作成してもよい。この場合、ステップＳＢ−８において、レイアウト画面生成部２０２ｋは、例えば、図１０に示すように、統合モデリング部２０２ｊの処理により作成された統合ＢＩＭモデルを含むレイアウト画面を生成してもよい。
【０１３２】
そして、レイアウト画面表示制御部２０２ｍは、ステップＳＢ−８にてレイアウト画面生成部２０２ｋの処理により生成されたレイアウト画面を端末装置１００へ送信し（ステップＳＢ−９）、当該レイアウト画面を端末装置１００の表示部１１４に表示させるように制御する（ステップＳＢ−１０）。
【０１３３】
そして、端末装置１００の制御部１０２は、ステップＳＢ−１０の処理の後、利用者により入力部１１８を介してシミュレーションを実行させるための計算条件の入力があるか否かに基づいて、シミュレーションを実行するかを判定する（ステップＳＢ−１１）。
【０１３４】
ステップＳＢ−１１において、端末装置１００の制御部１０２は、計算条件の入力がありシミュレーションを実行すると判定された場合（ステップＳＢ−１１：Ｙｅｓ）、利用者により入力される計算条件をサーバ装置２００へ送信する（ステップＳＢ−１２）。一方、ステップＳＢ−１１において、制御部１０２により、計算条件の入力がなくシミュレーションを実行しないと判定された場合（ステップＳＢ−１１：Ｎｏ）、ステップＳＢ−１８の処理へ移行する。
【０１３５】
そして、サーバ装置２００の条件受信部２０２ｃは、ステップＳＢ−１２にて制御部１０２の処理により端末装置１００から送信される計算条件を受信する（ステップＳＢ−１３）。
【０１３６】
そして、サーバ装置２００のシミュレーション部２０２ｐは、ステップＳＢ−１３にて条件受信部２０２ｃの処理により受信された計算条件、ステップＳＢ−７にて昇降機モデリング部２０２ｄの処理により作成されたＢＩＭパーツ、および、ＢＩＭモデルデータベース２０６ｃに記憶されたＢＩＭモデルに含まれる建築物に関する建物情報、に基づいて、計算式ファイル２０６ｄに記憶された所定の計算式を用いて、昇降機の交通計算および消費電力計算のうち少なくとも一つを実行する（ステップＳＢ−１４）。この場合、シミュレーション部２０２ｐは、ステップＳＢ−７にて昇降機モデリング部２０２ｄの処理により作成されたＢＩＭパーツのパーツ情報に含まれる動作パラメータを、ＢＩＭモデルデータベース２０６ｃに記憶されたＢＩＭモデルに含まれる建築物に関する建物情報を制約条件として参照しつつ、ステップＳＢ−１３にて条件受信部２０２ｃの処理により受信された計算条件に基づいて設定することで、昇降機の交通計算および消費電力計算のうち少なくとも一つを実行する。
【０１３７】
そして、サーバ装置２００の制御部２０２は、ステップＳＢ−１４にてシミュレーション部２０２ｐの処理により計算された昇降機の交通計算および消費電力計算のうち少なくとも一つの計算結果を、端末装置１００へ送信する（ステップＳＢ−１５）。
【０１３８】
そして、端末装置１００の制御部１０２は、ステップＳＢ−１５にて制御部２０２の処理により送信される昇降機の交通計算および消費電力計算のうち少なくとも一つの計算結果を、サーバ装置２００から受信する（ステップＳＢ−１６）。
【０１３９】
そして、端末装置１００の制御部１０２は、ステップＳＢ−１６にて制御部１０２の処理により受信された、昇降機の交通計算および消費電力計算のうち少なくとも一つの計算結果を、表示部１１４に表示させる（ステップＳＢ−１７）。その後、ステップＳＢ−１８の処理へ移行する。
【０１４０】
そして、端末装置１００の制御部１０２は、利用者により入力部１１８を介してＢＩＭパーツを変更するため変更モードへの切替入力があるか否かに基づいて、昇降機の変更を行うかを判定する（ステップＳＢ−１８）。
【０１４１】
ステップＳＢ−１８において、制御部１０２により、変更モードへの切替入力があり昇降機の変更を行うと判定された場合（ステップＳＢ−１８：Ｙｅｓ）、ステップＳＢ−３の処理へ戻り、再度選択画面１０を介して検出される選択操作に応じて、昇降機を変更するための処理を実行する（ステップＳＢ−３〜ＳＢ−７）。例えば、変更部２０２ｎは、利用者により入力される選択操作に基づく変更条件に応じて、ＢＩＭパーツに含まれるパーツ情報の設定パラメータを変更することで、当該ＢＩＭパーツを変更する。設定パラメータは、ＢＩＭパーツを構成する各ユニットのサイズ、色、材質等を規定するパラメータを含む。
【０１４２】
一方、ステップＳＢ−１８において、制御部１０２により、変更モードへの切替入力がなく昇降機の変更を行わないと判定された場合（ステップＳＢ−１８：Ｎｏ）、本処理を終了する。
【０１４３】
以上で、第２の実施形態におけるＢＩＭシステムの処理の一例の説明を終える。
【０１４４】
なお、第２の実施形態のＢＩＭシステムにおいても、第１の実施形態と同様の効果を有する。
【０１４５】
［第３の実施形態］
続いて、第３の実施形態について、図１３および図１４を参照して以下に説明する。ここで、図１３は、第３の実施形態におけるＢＩＭシステムの構成の一例を示すブロック図であり、該構成のうち本実施形態に関係する部分を概念的に示している。ここで、第３の実施形態におけるＢＩＭシステムは、スタンドアロン型に構成され単独で処理を行うＢＩＭ装置４００により実現される。
【０１４６】
なお、第３の実施形態においては、全ての機能をＢＩＭ装置４００に集約し、当該ＢＩＭ装置４００は、記憶部４０６に記憶されたカタログデータに基づいて選択画面１０を生成し、生成された選択画面１０を表示部４１４に表示させる等の機能を有する。また、ＢＩＭ装置４００は、選択画面１０を介して検出される選択操作に応じて、昇降機の作成条件を生成し、生成された作成条件に対応するＢＩＭパーツを、記憶部４０６に記憶されたパーツ情報を用いて作成する等の機能を有する。また、ＢＩＭ装置４００は、作成されたＢＩＭパーツを少なくとも含むレイアウト画面を生成し、生成されたレイアウト画面を表示部４１４に表示させる等の機能を有する。このように、第３の実施形態は、ＢＩＭ装置４００がスタンドアロン型に構成され単独で処理を行う点がその他の実施形態と異なる。
【０１４７】
［第３の実施形態におけるＢＩＭシステムの構成］
まず、第３の実施形態におけるＢＩＭシステムの構成の一例について、図１３を参照して以下に説明する。
【０１４８】
図１３に示すように、第３の実施形態のＢＩＭ装置４００は、出力部（表示部４１４および音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワーク３００を経由し、外部装置と相互に通信可能に接続されていてもよい。
【０１４９】
図１３において、入出力制御インターフェース部４０８、表示部４１４、音声出力部４１６、および、入力部４１８の各機能は、第１の実施形態と同様であるため説明を省略する。また、記憶部４０６の各部（パーツ情報データベース４０６ａ、カタログデータファイル４０６ｂ、ＢＩＭモデルデータベース４０６ｃ、および、計算式ファイル４０６ｄ等）についても、サーバ装置２００ではなくＢＩＭ装置４００に備えられている点を除き、各機能が第１の実施形態と同様であるため説明を省略する。
【０１５０】
また、制御部４０２の各部については、本実施形態のＢＩＭ装置４００がスタンドアロン型であり、制御部４０２が各送信部を備えていない点を除き、各機能は第１の実施形態と基本的に同様である。
【０１５１】
また、図１３において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、選択画面生成部４０２ａ、選択画面表示部４０２ｂ、作成条件生成部４０２ｃ、昇降機モデリング部４０２ｄ、見積り計算部４０２ｅ、統合モデリング部４０２ｆ、レイアウト画面生成部４０２ｇ、レイアウト画面表示部４０２ｈ、変更部４０２ｉ、および、シミュレーション部４０２ｊを備える。
【０１５２】
このうち、選択画面生成部４０２ａは、カタログデータファイル４０６ｂに記憶されたカタログデータに基づいて、当該カタログデータに含まれる昇降機または当該昇降機を構成する部材を選択可能な選択画面１０を生成する選択画面生成手段である。
【０１５３】
また、選択画面表示部４０２ｂは、選択画面生成部４０２ａにより生成された選択画面１０を表示部４１４に表示させる選択画面表示手段である。
【０１５４】
また、作成条件生成部４０２ｃは、選択画面表示部４０２ｂにより表示された選択画面１０を介して検出される、カタログデータに含まれる昇降機の画像または当該昇降機を構成する部材の画像を選択する利用者の選択操作に応じて、昇降機の作成条件を生成する作成条件生成手段である。本実施形態において、選択操作は、カタログデータに含まれる昇降機を指定する文字または当該昇降機を構成する部材を指定する文字を選択する操作を含む。なお、本実施形態において、作成条件生成部４０２ｃは、建築物のＢＩＭモデル内の昇降機の設置予定領域に設置可能なように、作成条件を生成するものとする。
【０１５５】
また、昇降機モデリング部４０２ｄは、作成条件生成部４０２ｃにより生成された作成条件に対応するＢＩＭパーツを、パーツ情報データベース４０６ａに記憶されたパーツ情報を用いて作成する昇降機モデリング手段である。ここで、昇降機モデリング部４０２ｄは、作成条件に合致する範囲内でＢＩＭパーツを複数作成してもよい。また、昇降機モデリング部４０２ｄは、作成した昇降機のＢＩＭパーツを記憶部４０６に格納して、ＢＩＭパーツデータベース（図示せず）を構築してもよい。なお、昇降機モデリング部４０２ｄは、選択操作に応じて作成された条件以外に、利用者により入力部４１８を介して昇降機の作成条件が入力された場合、当該作成条件に対応するＢＩＭパーツを、パーツ情報データベース４０６ａに記憶されたパーツ情報を用いて作成してもよい。
【０１５６】
また、見積り計算部４０２ｅは、昇降機モデリング部４０２ｄにより作成されたＢＩＭパーツに含まれるパーツ情報（例えば、昇降機を構成する部材の価格を示す情報）に基づいて、当該ＢＩＭパーツに対応する昇降機の見積り情報を計算する見積り計算手段である。
【０１５７】
また、統合モデリング部４０２ｆは、昇降機モデリング部４０２ｄにより作成されたＢＩＭパーツを、ＢＩＭモデルデータベース４０６ｃに記憶されたＢＩＭモデル内の設置予定領域に設置した統合ＢＩＭモデルを作成する統合モデリング手段である。ここで、統合モデリング部４０２ｆは、作成した統合ＢＩＭモデルを記憶部４０６に格納して、統合ＢＩＭモデルデータベース（図示せず）を構築してもよい。
【０１５８】
また、レイアウト画面生成部４０２ｇは、昇降機モデリング部４０２ｄにより作成されたＢＩＭパーツを少なくとも含むレイアウト画面を生成するレイアウト画面生成手段である。ここで、レイアウト画面生成部４０２ｇは、統合モデリング部４０２ｆにより作成された統合ＢＩＭモデルを含むレイアウト画面を生成してもよい。また、レイアウト画面生成部４０２ｇは、昇降機モデリング部４０２ｄにより作成されたＢＩＭパーツに対応する昇降機の見積り情報を更に含むレイアウト画面を生成してもよい。
【０１５９】
また、レイアウト画面表示部４０２ｈは、レイアウト画面生成部４０２ｇにより生成されたレイアウト画面を表示部４１４に表示させるレイアウト画面表示手段である。
【０１６０】
また、変更部４０２ｉは、利用者により入力される選択操作に基づいた変更条件に応じてＢＩＭパーツに含まれるパーツ情報の設定パラメータを変更することで、当該ＢＩＭパーツを変更する変更手段である。設定パラメータは、ＢＩＭパーツを構成する各ユニットのサイズ、色、材質等を規定するパラメータを含む。
【０１６１】
また、シミュレーション部４０２ｊは、利用者により入力される計算条件、昇降機モデリング部４０２ｄにより作成されたＢＩＭパーツ、および、ＢＩＭモデルデータベース４０６ｃに記憶されたＢＩＭモデルに含まれる建築物に関する建物情報、に基づいて、計算式ファイル４０６ｄに記憶された所定の計算式を用いて、昇降機の交通計算および消費電力計算のうち少なくとも一つを実行するシミュレーション手段である。例えば、シミュレーション部４０２ｊは、昇降機モデリング部４０２ｄにより作成されたＢＩＭパーツのパーツ情報に含まれる動作パラメータを、ＢＩＭモデルデータベース４０６ｃに記憶されたＢＩＭモデルに含まれる建築物に関する建物情報を制約条件として参照しつつ、利用者により入力される計算条件に基づいて設定することで、昇降機の交通計算および消費電力計算のうち少なくとも一つを実行する。
【０１６２】
以上で、第３の実施形態におけるＢＩＭシステムの構成の一例の説明を終える。
【０１６３】
［第３の実施形態におけるＢＩＭシステムの処理］
次に、このように構成された第３の実施形態におけるＢＩＭシステムの処理の一例について、以下に図１４を参照して詳細に説明する。図１４は、第３の実施形態におけるＢＩＭシステムの処理の一例を示すフローチャートである。
【０１６４】
図１４に示すように、選択画面生成部４０２ａは、カタログデータファイル４０６ｂに記憶されたカタログデータに基づいて、当該カタログデータに含まれる昇降機または当該昇降機を構成する部材を選択可能な選択画面１０を生成する（ステップＳＣ−１）。本実施形態において、選択画面１０を生成する契機は、例えば、利用者が入力部４１８を介して選択画面１０を呼び出す指示操作を行ったタイミングである。この他、ＢＩＭアプリケーションを実行したタイミングであってもよいし、カタログデータファイル４０６ｂに記憶されるカタログデータが更新されたタイミングであってもよい。
【０１６５】
そして、選択画面表示部４０２ｂは、ステップＳＣ−１にて選択画面生成部４０２ａの処理により生成された選択画面１０を表示部４１４に表示させる（ステップＳＣ−２）。ステップＳＣ−２において表示される選択画面１０は、例えば、上述の図４〜図８に示した選択画面１０−１〜５である。
【０１６６】
そして、作成条件生成部４０２ｃは、ステップＳＣ−２にて選択画面表示部４０２ｂの処理により生成された選択画面１０を介して検出される、カタログデータに含まれる昇降機の画像または当該昇降機を構成する部材の画像を選択する利用者の選択操作に応じて、昇降機の作成条件を生成する（ステップＳＣ−３）。本実施形態において、選択操作は、カタログデータに含まれる昇降機を指定する文字または当該昇降機を構成する部材を指定する文字を選択する操作を含む。ステップＳＣ−３において、作成条件生成部４０２ｃは、選択オブジェクト２０から仕様情報を抽出して、抽出した仕様情報に基づいて作成条件を生成する。
【０１６７】
ここで、ステップＳＣ−３において、作成条件生成部４０２ｃは、選択画面１０上に表示された選択オブジェクト２０から昇降機指定仕様情報（例えば、図４に示した選択オブジェクト２０−１〜４、図５に示した選択オブジェクト２０−５〜８と選択オブジェクト２０−９〜１２に対応する昇降機指定仕様情報）を抽出した場合は、当該昇降機指定仕様情報が指定する昇降機を作成する作成条件を生成する。また、ステップＳＣ−３において、作成条件生成部４０２ｃは、選択画面１０上に表示された選択オブジェクト２０から部材指定仕様情報（例えば、図４に示した選択オブジェクト２０−４ａ〜４ｍ、図５に示した選択オブジェクト２０−８ａ〜８ｑと選択オブジェクト２０−１２ａ〜１２ｍ等にそれぞれ対応する部材指定仕様情報）が複数抽出された場合は、当該部材指定仕様情報が指定する部材の組合せにより構成される昇降機を作成する作成条件を生成する。
【０１６８】
なお、本実施形態において、作成条件生成部４０２ｃは、建築物のＢＩＭモデル内の昇降機の設置予定領域に設置可能なように、作成条件を生成するものとする。つまり、作成条件生成部４０２ｃは、ＢＩＭモデルに含まれる属性情報（建築情報、構造情報等）に基づいて、作成条件にしたがって作成されるＢＩＭパーツが昇降機の設置予定領域に設置可能か否かを判定する。そして、作成条件生成部４０２ｃは、設置不可能であると判定した場合は、作成条件が指定する部材のサイズ等を変更することにより、作成条件にしたがって作成されるＢＩＭパーツがＢＩＭモデル内の昇降機の設置予定領域に設置可能なように調整する。
【０１６９】
また、ステップＳＣ−３において、作成条件生成部４０２ｃは、選択画面１０上に表示された選択オブジェクト２０から抽出した仕様情報、および、利用者により入力部４１８を介して入力される詳細条件に基づいて、作成条件を生成してもよい。例えば、利用者は、図４〜図８で示した選択オブジェクト２０から抽出され仕様情報では指定しきれない、オプションの有償付加仕様等を入力部４１８を介して詳細条件として入力する。この場合、作成条件生成部４０２ｃは、仕様情報に基づいて作成された作成条件に対して、更に利用者により入力部４１８を介して入力された詳細条件を加えて、最終的な作成条件として生成する。この他、利用者は、仕様情報に基づいて作成された作成条件の項目を入力部４１８を介して変更してもよい。この場合、作成条件生成部４０２ｃは、仕様情報に基づいて作成された作成条件に対して、更に利用者により入力部４１８を介して変更された項目について修正した上で、最終的な作成条件として生成する。
【０１７０】
そして、昇降機モデリング部４０２ｄは、ステップＳＣ−３にて作成条件生成部４０２ｃの処理により生成された作成条件に対応するＢＩＭパーツを、パーツ情報データベース４０６ａに記憶されたパーツ情報を用いて作成する（ステップＳＣ−４）。例えば、ステップＳＣ−４において、昇降機モデリング部４０２ｄは、図９に示すようなエレベータの３次元のＢＩＭパーツを作成する。ここで、昇降機モデリング部４０２ｄは、利用者が選択可能なように、作成条件を満たす複数の昇降機のＢＩＭパーツを作成してもよい。
【０１７１】
なお、本実施形態において、ステップＳＣ−４の処理の後、見積り計算部４０２ｅは、昇降機モデリング部４０２ｄの処理により作成されたＢＩＭパーツに含まれるパーツ情報（例えば、昇降機を構成する部材の価格を示す情報）に基づいて、当該ＢＩＭパーツに対応する昇降機の見積り情報を計算してもよい。
【０１７２】
そして、レイアウト画面生成部４０２ｇは、ステップＳＣ−４にて昇降機モデリング部４０２ｄの処理により作成されたＢＩＭパーツを少なくとも含むレイアウト画面を生成する（ステップＳＣ−５）。ステップＳＣ−５において、レイアウト画面生成部４０２ｇは、ＢＩＭパーツに対応する昇降機の見積り情報が作成された場合は、当該昇降機の見積り情報を更に含むレイアウト画面を生成してもよい。
【０１７３】
なお、本実施形態において、ステップＳＣ−５の処理の前に、統合モデリング部４０２ｆは、ステップＳＣ−４にて昇降機モデリング部４０２ｄの処理により作成されたＢＩＭパーツを、ＢＩＭモデルデータベース４０６ｃに記憶されたＢＩＭモデル内の設置予定領域に設置した統合ＢＩＭモデルを作成してもよい。この場合、ステップＳＣ−５において、レイアウト画面生成部４０２ｇは、例えば、図１０に示すように、統合モデリング部４０２ｆの処理により作成された統合ＢＩＭモデルを含むレイアウト画面を生成してもよい。
【０１７４】
そして、レイアウト画面表示部４０２ｈは、ステップＳＣ−５にてレイアウト画面生成部４０２ｇの処理により生成されたレイアウト画面を表示部４１４に表示させる（ステップＳＣ−６）。
【０１７５】
そして、制御部４０２は、ステップＳＣ−６の処理の後、利用者により入力部４１８を介してシミュレーションを実行させるための計算条件の入力があるか否かに基づいて、シミュレーションを実行するかを判定する（ステップＳＣ−７）。
【０１７６】
ステップＳＣ−７において、制御部４０２により、計算条件の入力がありシミュレーションを実行すると判定された場合（ステップＳＣ−７：Ｙｅｓ）、シミュレーション部４０２ｊは、利用者により入力される計算条件、昇降機モデリング部４０２ｄにより作成されたＢＩＭパーツ、および、ＢＩＭモデルデータベース４０６ｃに記憶されたＢＩＭモデルに含まれる建築物に関する建物情報、に基づいて、計算式ファイル４０６ｄに記憶された所定の計算式を用いて、昇降機の交通計算および消費電力計算のうち少なくとも一つを実行する（ステップＳＣ−８）。この場合、シミュレーション部４０２ｊは、ステップＳＣ−４にて昇降機モデリング部４０２ｄの処理により作成されたＢＩＭパーツのパーツ情報に含まれる動作パラメータを、ＢＩＭモデルデータベース４０６ｃに記憶されたＢＩＭモデルに含まれる建築物に関する建物情報を制約条件として参照しつつ、利用者により入力される計算条件に基づいて設定することで、昇降機の交通計算および消費電力計算のうち少なくとも一つを実行する。そして、制御部４０２は、シミュレーション部４０２ｊにより計算された昇降機の交通計算および消費電力計算のうち少なくとも一つの計算結果を、表示部４１４に表示させる。その後、ステップＳＣ−９の処理へ移行する。
【０１７７】
一方、ステップＳＣ−７において、制御部４０２により、計算条件の入力がなくシミュレーションを実行しないと判定された場合（ステップＳＣ−７：Ｎｏ）、ステップＳＣ−９の処理へ移行する。
【０１７８】
そして、制御部４０２は、利用者により入力部４１８を介してＢＩＭパーツを変更するため変更モードへの切替入力があるか否かに基づいて、昇降機の変更を行うかを判定する（ステップＳＣ−９）。
【０１７９】
ステップＳＣ−９において、制御部４０２により、変更モードへの切替入力があり昇降機の変更を行うと判定された場合（ステップＳＣ−９：Ｙｅｓ）、ステップＳＣ−２の処理へ戻り、再度選択画面１０を介して検出される選択操作に応じて、昇降機を変更するための処理を実行する（ステップＳＣ−２〜ＳＣ−４）。例えば、変更部４０２ｉは、利用者により入力される選択操作に基づく変更条件に応じて、ＢＩＭパーツに含まれるパーツ情報の設定パラメータを変更することで、当該ＢＩＭパーツを変更する。設定パラメータは、ＢＩＭパーツを構成する各ユニットのサイズ、色、材質等を規定するパラメータを含む。
【０１８０】
一方、ステップＳＣ−９において、制御部４０２により、変更モードへの切替入力がなく昇降機の変更を行わないと判定された場合（ステップＳＣ−９：Ｎｏ）、本処理を終了する。
【０１８１】
以上で、第３の実施形態におけるＢＩＭシステムの処理の一例の説明を終える。
【０１８２】
なお、第３の実施形態のＢＩＭシステムにおいても、第１の実施形態と同様の効果を有する。
【０１８３】
［他の実施の形態］
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１８４】
例えば、上述の実施形態では、昇降機としてエレベータを例にして説明したが、エスカレータ、動く歩道等の乗客コンベアについても同様に本発明を適用できる。
【０１８５】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１８６】
この他、上記文献中や図面中で示した処理手順、制御手順、具体的名称、各処理の登録データや検索条件等のパラメータを含む情報、画面例、データベース構成については、特記する場合を除いて任意に変更することができる。
【０１８７】
また、端末装置１００、サーバ装置２００、および、ＢＩＭ装置４００に関して、図示の各構成要素は機能概念的なものであり、必ずしも物理的に図示の如く構成されていることを要しない。
【０１８８】
例えば、端末装置１００、サーバ装置２００、および、ＢＩＭ装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。なお、プログラムは、後述する記録媒体に記録されており、必要に応じて端末装置１００、サーバ装置２００、および、ＢＩＭ装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１８９】
また、このコンピュータプログラムは、端末装置１００、サーバ装置２００、および、ＢＩＭ装置４００に対して任意のネットワーク３００を介して接続されたアプリケーションプログラムサーバに記憶されていてもよく、必要に応じてその全部または一部をダウンロードすることも可能である。
【０１９０】
また、本発明に係るプログラムを、コンピュータで読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０１９１】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１９２】
記憶部１０６、記憶部２０６、および、記憶部４０６に格納される各種のデータベース等（ＢＩＭモデルデータベース１０６ａ、計算式ファイル１０６ｂ、パーツ情報データベース２０６ａ、カタログデータファイル２０６ｂ、ＢＩＭモデルデータベース２０６ｃ、計算式ファイル２０６ｄ、パーツ情報データベース４０６ａ、カタログデータファイル４０６ｂ、ＢＩＭモデルデータベース４０６ｃ、および、計算式ファイル４０６ｄ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１９３】
また、端末装置１００、サーバ装置２００、および、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、および、ＢＩＭ装置４００は、該情報処理装置に本発明の方法を実現させるソフトウェア（プログラム、データ等を含む）を実装することにより実現してもよい。
【０１９４】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１９５】
以上で説明した実施形態、変形例に係るＢＩＭシステム、サーバ装置、端末装置、方法およびプログラムによれば、その結果、昇降機の設備計画を提案する際、昇降機を視覚的に分かりやすく表示することができる。
【０１９６】
［付記］
実施形態のＢＩＭシステムは、制御部と記憶部とを少なくとも備えたサーバ装置、および、制御部と表示部とを少なくとも備えた端末装置、を通信可能に接続したＢＩＭシステムであって、前記サーバ装置の前記記憶部は、昇降機のＢＩＭパーツを作成するためのパーツ情報を記憶するパーツ情報記憶手段と、前記昇降機のカタログデータを記憶するカタログデータ記憶手段と、を備え、前記サーバ装置の前記制御部は、前記カタログデータ記憶手段に記憶された前記カタログデータに基づいて、当該カタログデータに含まれる前記昇降機または当該昇降機を構成する部材を選択可能な選択画面を生成する選択画面生成手段と、前記選択画面生成手段により生成された前記選択画面を前記端末装置へ送信する選択画面送信手段と、前記端末装置から送信される前記昇降機の作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置の前記制御部は、前記サーバ装置から送信される前記選択画面を前記表示部に表示させる選択画面表示手段と、前記選択画面表示手段により表示された前記選択画面を介して検出される、前記カタログデータに含まれる前記昇降機の画像または当該昇降機を構成する部材の画像を選択する利用者の選択操作に応じて、前記昇降機の作成条件を生成する作成条件生成手段と、前記作成条件生成手段により生成された前記作成条件を前記サーバ装置へ送信する条件送信手段と、前記サーバ装置から送信される前記作成条件に対応する前記ＢＩＭパーツを受信する情報取得手段と、前記情報取得手段により受信された前記ＢＩＭパーツを少なくとも含むレイアウト画面を生成するレイアウト画面生成手段と、前記レイアウト画面生成手段により生成された前記レイアウト画面を前記表示部に表示させるレイアウト画面表示手段と、を備えたことを特徴とする。
【０１９７】
実施形態のサーバ装置は、表示部を少なくとも備えた端末装置に通信可能に接続された、制御部と記憶部とを少なくとも備えたサーバ装置であって、前記記憶部は、昇降機のＢＩＭパーツを作成するためのパーツ情報を記憶するパーツ情報記憶手段と、前記昇降機のカタログデータを記憶するカタログデータ記憶手段と、を備え、前記制御部は、前記カタログデータ記憶手段に記憶された前記カタログデータに基づいて、当該カタログデータに含まれる前記昇降機または当該昇降機を構成する部材を選択可能な選択画面を生成する選択画面生成手段と、前記選択画面生成手段により生成された前記選択画面を前記端末装置へ送信する選択画面送信手段と、前記端末装置から送信される前記昇降機の作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置において、前記サーバ装置から受信した前記選択画面が前記表示部に表示され、当該選択画面を介して検出される、前記カタログデータに含まれる前記昇降機の画像または当該昇降機を構成する部材の画像を選択する利用者の選択操作に応じて、前記昇降機の作成条件が生成されて前記サーバ装置へ送信され、前記サーバ装置から受信した前記作成条件に対応する前記ＢＩＭパーツを少なくとも含むようにレイアウト画面が生成されて前記表示部に表示されることを特徴とする。
【０１９８】
実施形態の端末装置は、サーバ装置に通信可能に接続された、制御部と表示部とを少なくとも備えた端末装置であって、前記制御部は、前記サーバ装置において、昇降機のカタログデータに基づいて作成された当該カタログデータに含まれる前記昇降機または当該昇降機を構成する部材を選択可能な選択画面を受信し、当該選択画面を前記表示部に表示させる選択画面表示手段と、前記選択画面表示手段により表示された前記選択画面を介して検出される、前記カタログデータに含まれる前記昇降機の画像または当該昇降機を構成する部材の画像を選択する利用者の選択操作に応じて、前記昇降機の作成条件を生成する作成条件生成手段と、前記作成条件生成手段により生成された前記作成条件を前記サーバ装置へ送信する条件送信手段と、前記サーバ装置において前記昇降機のＢＩＭパーツを作成するためのパーツ情報を用いて作成された、前記作成条件に対応する前記ＢＩＭパーツを受信する情報取得手段と、前記情報取得手段により受信された前記ＢＩＭパーツを少なくとも含むレイアウト画面を生成するレイアウト画面生成手段と、前記レイアウト画面生成手段により生成された前記レイアウト画面を前記表示部に表示させるレイアウト画面表示手段と、を備えたことを特徴とする。
【０１９９】
実施形態のＢＩＭシステムは、制御部と記憶部とを少なくとも備えたサーバ装置、および、制御部と表示部とを少なくとも備えた端末装置、を通信可能に接続したＢＩＭシステムであって、前記サーバ装置の前記記憶部は、昇降機のＢＩＭパーツを作成するためのパーツ情報を記憶するパーツ情報記憶手段と、前記昇降機のカタログデータを記憶するカタログデータ記憶手段と、を備え、前記サーバ装置の前記制御部は、前記カタログデータ記憶手段に記憶された前記カタログデータに基づいて、当該カタログデータに含まれる前記昇降機または当該昇降機を構成する部材を選択可能な選択画面を生成する選択画面生成手段と、前記選択画面生成手段により生成された前記選択画面を前記端末装置へ送信し、当該選択画面を前記端末装置の前記表示部に表示させるように制御する選択画面表示制御手段と、前記端末装置において、前記選択画面表示制御手段により表示された前記選択画面を介して検出される、前記カタログデータに含まれる前記昇降機の画像または当該昇降機を構成する部材の画像を選択する利用者の選択操作に対応する検出信号を、前記端末装置から受信し、当該検出信号に応じて、前記昇降機の作成条件を生成する作成条件生成手段と、前記作成条件生成手段により生成された前記作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを少なくとも含むレイアウト画面を生成するレイアウト画面生成手段と、前記レイアウト画面生成手段により生成された前記レイアウト画面を前記端末装置へ送信し、当該レイアウト画面を前記端末装置の前記表示部に表示させるように制御するレイアウト画面表示制御手段と、を備え、前記端末装置の前記制御部は、前記選択画面表示制御手段により表示された前記選択画面を介して検出される前記選択操作に対応する前記検出信号を前記サーバ装置へ送信する検出信号送信手段を備えたことを特徴とする。
【０２００】
実施形態のサーバ装置は、表示部を少なくとも備えた端末装置に通信可能に接続された、制御部と記憶部とを少なくとも備えたサーバ装置であって、前記記憶部は、昇降機のＢＩＭパーツを作成するためのパーツ情報を記憶するパーツ情報記憶手段と、前記昇降機のカタログデータを記憶するカタログデータ記憶手段と、を備え、前記制御部は、前記カタログデータ記憶手段に記憶された前記カタログデータに基づいて、当該カタログデータに含まれる前記昇降機または当該昇降機を構成する部材を選択可能な選択画面を生成する選択画面生成手段と、前記選択画面生成手段により生成された前記選択画面を前記端末装置へ送信し、当該選択画面を前記端末装置の前記表示部に表示させるように制御する選択画面表示制御手段と、前記端末装置において、前記選択画面表示制御手段により表示された前記選択画面を介して検出される、前記カタログデータに含まれる前記昇降機の画像または当該昇降機を構成する部材の画像を選択する利用者の選択操作に対応する検出信号を、前記端末装置から受信し、当該検出信号に応じて、前記昇降機の作成条件を生成する作成条件生成手段と、前記作成条件生成手段により生成された前記作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを少なくとも含むレイアウト画面を生成するレイアウト画面生成手段と、前記レイアウト画面生成手段により生成された前記レイアウト画面を前記端末装置へ送信し、当該レイアウト画面を前記端末装置の前記表示部に表示させるように制御するレイアウト画面表示制御手段と、を備えたことを特徴とする。
【０２０１】
実施形態の方法は、制御部と記憶部と表示部とを少なくとも備えたＢＩＭシステムにおいて実行される方法であって、前記記憶部は、昇降機のＢＩＭパーツを作成するためのパーツ情報を記憶するパーツ情報記憶手段と、前記昇降機のカタログデータを記憶するカタログデータ記憶手段と、を備え、前記制御部において実行される、前記カタログデータ記憶手段に記憶された前記カタログデータに基づいて、当該カタログデータに含まれる前記昇降機または当該昇降機を構成する部材を選択可能な選択画面を生成する選択画面生成ステップと、前記選択画面生成ステップにて生成された前記選択画面を前記表示部に表示させる選択画面表示ステップと、前記選択画面表示ステップにて表示された前記選択画面を介して検出される、前記カタログデータに含まれる前記昇降機の画像または当該昇降機を構成する部材の画像を選択する利用者の選択操作に応じて、前記昇降機の作成条件を生成する作成条件生成ステップと、前記作成条件生成ステップにて生成された前記作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを少なくとも含むレイアウト画面を生成するレイアウト画面生成ステップと、前記レイアウト画面生成ステップにて生成された前記レイアウト画面を前記表示部に表示させるレイアウト画面表示ステップと、を含むことを特徴とする。
【０２０２】
実施形態の方法は、制御部と記憶部とを少なくとも備えたサーバ装置、および、制御部と表示部とを少なくとも備えた端末装置、を通信可能に接続したＢＩＭシステムにおいて実行される方法であって、前記サーバ装置の前記記憶部は、昇降機のＢＩＭパーツを作成するためのパーツ情報を記憶するパーツ情報記憶手段と、前記昇降機のカタログデータを記憶するカタログデータ記憶手段と、を備え、前記サーバ装置の前記制御部において実行される、前記カタログデータ記憶手段に記憶された前記カタログデータに基づいて、当該カタログデータに含まれる前記昇降機または当該昇降機を構成する部材を選択可能な選択画面を生成する選択画面生成ステップと、前記サーバ装置の前記制御部において実行される、前記選択画面生成ステップにて生成された前記選択画面を前記端末装置へ送信する選択画面送信ステップと、前記端末装置の前記制御部において実行される、前記選択画面送信ステップにて前記サーバ装置から送信された前記選択画面を前記表示部に表示させる選択画面表示ステップと、前記端末装置の前記制御部において実行される、前記選択画面表示ステップにて表示された前記選択画面を介して検出される、前記カタログデータに含まれる前記昇降機の画像または当該昇降機を構成する部材の画像を選択する利用者の選択操作に応じて、前記昇降機の作成条件を生成する作成条件生成ステップと、前記端末装置の前記制御部において実行される、前記作成条件生成ステップにて生成された前記作成条件を前記サーバ装置へ送信する条件送信ステップと、前記サーバ装置の前記制御部において実行される、前記条件送信ステップにて前記端末装置から送信された前記昇降機の作成条件に対応する前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを前記端末装置へ送信する情報提供ステップと、前記端末装置の前記制御部において実行される、前記情報提供ステップにて前記サーバ装置から送信された前記作成条件に対応する前記ＢＩＭパーツを受信する情報取得ステップと、前記端末装置の前記制御部において実行される、前記情報取得ステップにて受信された前記ＢＩＭパーツを少なくとも含むレイアウト画面を生成するレイアウト画面生成ステップと、前記端末装置の前記制御部において実行される、前記レイアウト画面生成ステップにて生成された前記レイアウト画面を前記表示部に表示させるレイアウト画面表示ステップと、を含むことを特徴とする。
【０２０３】
実施形態の方法は、表示部を少なくとも備えた端末装置に通信可能に接続された、制御部と記憶部とを少なくとも備えたサーバ装置において実行される方法であって、前記記憶部は、昇降機のＢＩＭパーツを作成するためのパーツ情報を記憶するパーツ情報記憶手段と、前記昇降機のカタログデータを記憶するカタログデータ記憶手段と、を備え、前記制御部において実行される、前記カタログデータ記憶手段に記憶された前記カタログデータに基づいて、当該カタログデータに含まれる前記昇降機または当該昇降機を構成する部材を選択可能な選択画面を生成する選択画面生成ステップと、前記選択画面生成ステップにて生成された前記選択画面を前記端末装置へ送信する選択画面送信ステップと、前記端末装置から送信される前記昇降機の作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを前記端末装置へ送信する情報提供ステップと、を含み、前記端末装置において、前記サーバ装置から受信した前記選択画面が前記表示部に表示され、当該選択画面を介して検出される、前記カタログデータに含まれる前記昇降機の画像または当該昇降機を構成する部材の画像を選択する利用者の選択操作に応じて、前記昇降機の作成条件が生成されて前記サーバ装置へ送信され、前記サーバ装置から受信した前記作成条件に対応する前記ＢＩＭパーツを少なくとも含むようにレイアウト画面が生成されて前記表示部に表示されることを特徴とする。
【０２０４】
実施形態の方法は、サーバ装置に通信可能に接続された、制御部と表示部とを少なくとも備えた端末装置において実行される方法であって、前記制御部において実行される、前記サーバ装置において、昇降機のカタログデータに基づいて作成された当該カタログデータに含まれる前記昇降機または当該昇降機を構成する部材を選択可能な選択画面を受信し、当該選択画面を前記表示部に表示させる選択画面表示ステップと、前記選択画面表示ステップにて表示された前記選択画面を介して検出される、前記カタログデータに含まれる前記昇降機の画像または当該昇降機を構成する部材の画像を選択する利用者の選択操作に応じて、前記昇降機の作成条件を生成する作成条件生成ステップと、前記作成条件生成ステップにて生成された前記作成条件を前記サーバ装置へ送信する条件送信ステップと、前記サーバ装置において前記昇降機のＢＩＭパーツを作成するためのパーツ情報を用いて作成された、前記作成条件に対応する前記ＢＩＭパーツを受信する情報取得ステップと、前記情報取得ステップにて受信された前記ＢＩＭパーツを少なくとも含むレイアウト画面を生成するレイアウト画面生成ステップと、前記レイアウト画面生成ステップにて生成された前記レイアウト画面を前記表示部に表示させるレイアウト画面表示ステップと、を含むことを特徴とする。
【０２０５】
実施形態の方法は、制御部と記憶部とを少なくとも備えたサーバ装置、および、制御部と表示部とを少なくとも備えた端末装置、を通信可能に接続したＢＩＭシステムにおいて実行される方法であって、前記サーバ装置の前記記憶部は、昇降機のＢＩＭパーツを作成するためのパーツ情報を記憶するパーツ情報記憶手段と、前記昇降機のカタログデータを記憶するカタログデータ記憶手段と、を備え、前記サーバ装置の前記制御部において実行される、前記カタログデータ記憶手段に記憶された前記カタログデータに基づいて、当該カタログデータに含まれる前記昇降機または当該昇降機を構成する部材を選択可能な選択画面を生成する選択画面生成ステップと、前記サーバ装置の前記制御部において実行される、前記選択画面生成ステップにて生成された前記選択画面を前記端末装置へ送信し、当該選択画面を前記端末装置の前記表示部に表示させるように制御する選択画面表示制御ステップと、前記端末装置の前記制御部において実行される、前記選択画面表示制御ステップにて表示された前記選択画面を介して検出される、前記カタログデータに含まれる前記昇降機の画像または当該昇降機を構成する部材の画像を選択する利用者の選択操作に対応する検出信号を、前記サーバ装置へ送信する検出信号送信ステップと、前記サーバ装置の前記制御部において実行される、前記検出信号送信ステップにて前記端末装置から送信された前記検出信号に応じて、前記昇降機の作成条件を生成する作成条件生成ステップと、前記サーバ装置の前記制御部において実行される、前記作成条件生成ステップにて生成された前記作成条件に対応する前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを少なくとも含むレイアウト画面を生成するレイアウト画面生成ステップと、前記サーバ装置の前記制御部において実行される、前記レイアウト画面生成ステップにて生成された前記レイアウト画面を前記端末装置へ送信し、当該レイアウト画面を前記端末装置の前記表示部に表示させるように制御するレイアウト画面表示制御ステップと、を含むことを特徴とする。
【０２０６】
実施形態の方法は、表示部を少なくとも備えた端末装置に通信可能に接続された、制御部と記憶部とを少なくとも備えたサーバ装置において実行される方法であって、前記記憶部は、昇降機のＢＩＭパーツを作成するためのパーツ情報を記憶するパーツ情報記憶手段と、前記昇降機のカタログデータを記憶するカタログデータ記憶手段と、を備え、前記制御部において実行される、前記カタログデータ記憶手段に記憶された前記カタログデータに基づいて、当該カタログデータに含まれる前記昇降機または当該昇降機を構成する部材を選択可能な選択画面を生成する選択画面生成ステップと、前記選択画面生成ステップにて生成された前記選択画面を前記端末装置へ送信し、当該選択画面を前記端末装置の前記表示部に表示させるように制御する選択画面表示制御ステップと、前記端末装置において、前記選択画面表示制御ステップにて表示された前記選択画面を介して検出される、前記カタログデータに含まれる前記昇降機の画像または当該昇降機を構成する部材の画像を選択する利用者の選択操作に対応する検出信号を、前記端末装置から受信し、当該検出信号に応じて、前記昇降機の作成条件を生成する作成条件生成ステップと、前記作成条件生成ステップにて生成された前記作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを少なくとも含むレイアウト画面を生成するレイアウト画面生成ステップと、前記レイアウト画面生成ステップにて生成された前記レイアウト画面を前記端末装置へ送信し、当該レイアウト画面を前記端末装置の前記表示部に表示させるように制御するレイアウト画面表示制御ステップと、を含むことを特徴とする。
【０２０７】
実施形態のプログラムは、制御部と記憶部と表示部とを少なくとも備えたＢＩＭシステムに実行させるためのプログラムであって、前記記憶部は、昇降機のＢＩＭパーツを作成するためのパーツ情報を記憶するパーツ情報記憶手段と、前記昇降機のカタログデータを記憶するカタログデータ記憶手段と、を備え、前記制御部において、前記カタログデータ記憶手段に記憶された前記カタログデータに基づいて、当該カタログデータに含まれる前記昇降機または当該昇降機を構成する部材を選択可能な選択画面を生成する選択画面生成ステップと、前記選択画面生成ステップにて生成された前記選択画面を前記表示部に表示させる選択画面表示ステップと、前記選択画面表示ステップにて表示された前記選択画面を介して検出される、前記カタログデータに含まれる前記昇降機の画像または当該昇降機を構成する部材の画像を選択する利用者の選択操作に応じて、前記昇降機の作成条件を生成する作成条件生成ステップと、前記作成条件生成ステップにて生成された前記作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを少なくとも含むレイアウト画面を生成するレイアウト画面生成ステップと、前記レイアウト画面生成ステップにて生成された前記レイアウト画面を前記表示部に表示させるレイアウト画面表示ステップと、を実行させることを特徴とする。
【０２０８】
実施形態のプログラムは、表示部を少なくとも備えた端末装置に通信可能に接続された、制御部と記憶部とを少なくとも備えたサーバ装置に実行させるためのプログラムであって、前記記憶部は、昇降機のＢＩＭパーツを作成するためのパーツ情報を記憶するパーツ情報記憶手段と、前記昇降機のカタログデータを記憶するカタログデータ記憶手段と、を備え、前記制御部において、前記カタログデータ記憶手段に記憶された前記カタログデータに基づいて、当該カタログデータに含まれる前記昇降機または当該昇降機を構成する部材を選択可能な選択画面を生成する選択画面生成ステップと、前記選択画面生成ステップにて生成された前記選択画面を前記端末装置へ送信する選択画面送信ステップと、前記端末装置から送信される前記昇降機の作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを前記端末装置へ送信する情報提供ステップと、を実行させ、前記端末装置において、前記サーバ装置から受信した前記選択画面が前記表示部に表示され、当該選択画面を介して検出される、前記カタログデータに含まれる前記昇降機の画像または当該昇降機を構成する部材の画像を選択する利用者の選択操作に応じて、前記昇降機の作成条件が生成されて前記サーバ装置へ送信され、前記サーバ装置から受信した前記作成条件に対応する前記ＢＩＭパーツを少なくとも含むようにレイアウト画面が生成されて前記表示部に表示されることを特徴とする。
【０２０９】
実施形態のプログラムは、サーバ装置に通信可能に接続された、制御部と表示部とを少なくとも備えた端末装置に実行させるためのプログラムであって、前記制御部において、前記サーバ装置において、昇降機のカタログデータに基づいて作成された当該カタログデータに含まれる前記昇降機または当該昇降機を構成する部材を選択可能な選択画面を受信し、当該選択画面を前記表示部に表示させる選択画面表示ステップと、前記選択画面表示ステップにて表示された前記選択画面を介して検出される、前記カタログデータに含まれる前記昇降機の画像または当該昇降機を構成する部材の画像を選択する利用者の選択操作に応じて、前記昇降機の作成条件を生成する作成条件生成ステップと、前記作成条件生成ステップにて生成された前記作成条件を前記サーバ装置へ送信する条件送信ステップと、前記サーバ装置において前記昇降機のＢＩＭパーツを作成するためのパーツ情報を用いて作成された、前記作成条件に対応する前記ＢＩＭパーツを受信する情報取得ステップと、前記情報取得ステップにて受信された前記ＢＩＭパーツを少なくとも含むレイアウト画面を生成するレイアウト画面生成ステップと、前記レイアウト画面生成ステップにて生成された前記レイアウト画面を前記表示部に表示させるレイアウト画面表示ステップと、を実行させることを特徴とする。
【０２１０】
実施形態のプログラムは、表示部を少なくとも備えた端末装置に通信可能に接続された、制御部と記憶部とを少なくとも備えたサーバ装置に実行させるためのプログラムであって、前記記憶部は、昇降機のＢＩＭパーツを作成するためのパーツ情報を記憶するパーツ情報記憶手段と、前記昇降機のカタログデータを記憶するカタログデータ記憶手段と、
を備え、前記制御部において、前記カタログデータ記憶手段に記憶された前記カタログデータに基づいて、当該カタログデータに含まれる前記昇降機または当該昇降機を構成する部材を選択可能な選択画面を生成する選択画面生成ステップと、前記選択画面生成ステップにて生成された前記選択画面を前記端末装置へ送信し、当該選択画面を前記端末装置の前記表示部に表示させるように制御する選択画面表示制御ステップと、前記端末装置において、前記選択画面表示制御ステップにて表示された前記選択画面を介して検出される、前記カタログデータに含まれる前記昇降機の画像または当該昇降機を構成する部材の画像を選択する利用者の選択操作に対応する検出信号を、前記端末装置から受信し、当該検出信号に応じて、前記昇降機の作成条件を生成する作成条件生成ステップと、前記作成条件生成ステップにて生成された前記作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを少なくとも含むレイアウト画面を生成するレイアウト画面生成ステップと、前記レイアウト画面生成ステップにて生成された前記レイアウト画面を前記端末装置へ送信し、当該レイアウト画面を前記端末装置の前記表示部に表示させるように制御するレイアウト画面表示制御ステップと、
を実行させることを特徴とする。
【符号の説明】
【０２１１】
１０  選択画面
２０  選択オブジェクト
１００  端末装置
１０２  制御部
１０２ａ  選択画面受信部
１０２ｂ  選択画面表示部
１０２ｃ  作成条件生成部
１０２ｄ  条件送信部
１０２ｅ  情報取得部
１０２ｆ  統合モデリング部
１０２ｇ  レイアウト画面生成部
１０２ｈ  レイアウト画面表示部
１０２ｉ  変更部
１０２ｊ  シミュレーション部
１０４  通信制御インターフェース部
１０６  記憶部
１０６ａ  ＢＩＭモデルデータベース
１０６ｂ  計算式ファイル
１０８  入出力制御インターフェース部
１１４  表示部
１１６  音声出力部
１１８  入力部
２００  サーバ装置
２０２  制御部
２０２ａ  選択画面生成部
２０２ｂ  選択画面送信部
２０２ｃ  条件受信部
２０２ｄ  昇降機モデリング部
２０２ｅ  情報提供部
２０２ｆ  見積り計算部
２０２ｇ  選択画面表示制御部
２０２ｈ  検出信号受信部
２０２ｉ  作成条件生成部
２０２ｊ  統合モデリング部
２０２ｋ  レイアウト画面生成部
２０２ｍ  レイアウト画面表示制御部
２０２ｎ  変更部
２０２ｐ  シミュレーション部
２０４  通信制御インターフェース部
２０６  記憶部
２０６ａ  パーツ情報データベース
２０６ｂ  カタログデータファイル
２０６ｃ  ＢＩＭモデルデータベース
２０６ｄ  計算式ファイル
３００  ネットワーク
４００  ＢＩＭ装置
４０２  制御部
４０２ａ  選択画面生成部
４０２ｂ  選択画面表示部
４０２ｃ  作成条件生成部
４０２ｄ  昇降機モデリング部
４０２ｅ  見積り計算部
４０２ｆ  統合モデリング部
４０２ｇ  レイアウト画面生成部
４０２ｈ  レイアウト画面表示部
４０２ｉ  変更部
４０２ｊ  シミュレーション部
４０６  記憶部
４０６ａ  パーツ情報データベース
４０６ｂ  カタログデータファイル
４０６ｃ  ＢＩＭモデルデータベース
４０６ｄ  計算式ファイル
４０８  入出力制御インターフェース部
４１４  表示部
４１６  音声出力部
４１８  入力部
【図１】
0005619113.tif 000002
【図２】
0005619113.tif 000003
【図３】
0005619113.tif 000004
【図４】
0005619113.tif 000005
【図５】
0005619113.tif 000006
【図６】
0005619113.tif 000007
【図７】
0005619113.tif 000008
【図８】
0005619113.tif 000009
【図９】
0005619113.tif 000010
【図１０】
0005619113.tif 000011
【図１１】
0005619113.tif 000012
【図１２】
0005619113.tif 000013
【図１３】
0005619113.tif 000014
【図１４】
0005619113.tif 000015